(57)【要約】  ワイヤレス通信システムおよび方法は、アップリンク制御情報を送信することに関する。第1のワイヤレス通信デバイスは、第1のビーム情報および第2のビーム情報を示す送信構成を受信する。第1のビーム情報と第2のビーム情報とは異なる。第1のワイヤレス通信デバイスは、第1のビーム情報に基づいて第1のアップリンク制御信号を送信する。第1のワイヤレス通信デバイスは、第2のビーム情報に基づいて第2のアップリンク制御信号を送信する。第1のアップリンク制御信号および第2のアップリンク制御信号は、同じ制御情報を表す。他の態様、実施形態、および特徴も、特許請求されて説明される。
2019537316.tif 000002
【特許請求の範囲】
【請求項１】
ワイヤレス通信の方法であって、
第1のビーム情報および第2の異なるビーム情報を示す送信構成を第1のワイヤレス通信デバイスによって受信するステップと、
前記第1のビーム情報に基づいて第1のアップリンク制御信号を前記第1のワイヤレス通信デバイスによって送信するステップと、
前記第2のビーム情報に基づいて第2のアップリンク制御信号を、前記第1のアップリンク制御信号内で表される同じ制御情報とともに前記第1のワイヤレス通信デバイスによって送信するステップと
を含む、方法。
【請求項２】
前記第1のビーム情報に基づいて第1のビーム方向または第1の周波数リソースのうちの少なくとも1つを前記第1のワイヤレス通信デバイスによって取得するステップと、
前記第2のビーム情報に基づいて、第2の異なるビーム方向または第2の異なる周波数リソースのうちの少なくとも1つを前記第1のワイヤレス通信デバイスによって取得するステップと、
第1のビーム方向または第1の周波数リソースのうちの前記少なくとも1つを使用して前記第1のアップリンク制御信号を送信するステップと、
第2のビーム方向または第2の周波数リソースのうちの前記少なくとも1つを使用して前記第2のアップリンク制御信号を送信するステップと
をさらに含む、請求項1に記載の方法。
【請求項３】
前記第1のビーム情報に基づいて第1の送信時間間隔を前記第1のワイヤレス通信デバイスによって構成するステップと、
前記第2のビーム情報に基づいて第2の送信時間間隔を、前記第1の送信時間間隔と少なくとも部分的に重複するように前記第1のワイヤレス通信デバイスによって構成するステップであって、前記第1の送信時間間隔および前記第2の送信時間間隔がそれぞれ1つまたは複数のシンボルを含む、ステップと、
前記第1の送信時間間隔の間に前記第1のアップリンク制御信号を送信するステップと、
前記第2の送信時間間隔の間に前記第2のアップリンク制御信号を送信するステップと
をさらに含む、請求項1に記載の方法。
【請求項４】
前記第1のビーム情報に基づいて第1の送信時間間隔を前記第1のワイヤレス通信デバイスによって構成するステップと、
前記第2のビーム情報に基づいて前記第1の送信時間間隔と重複しない第2の送信時間間隔を前記第1のワイヤレス通信デバイスによって構成するステップであって、前記第1の送信時間間隔および前記第2の送信時間間隔がそれぞれ1つまたは複数のシンボルを含む、ステップと、
前記第1の送信時間間隔の間に前記第1のアップリンク制御信号を送信するステップと、
前記第2の送信時間間隔の間に前記第2のアップリンク制御信号を送信するステップと
をさらに含む、請求項1に記載の方法。
【請求項５】
第1の冗長バージョン(RV)に基づいて符号化された前記制御情報を搬送する前記第1のアップリンク制御信号を送信するステップと、
前記第1のRVとは異なる第2のRVに基づいて符号化された前記制御情報を搬送する前記第2のアップリンク制御信号を送信するステップと
をさらに含む、請求項1に記載の方法。
【請求項６】
前記第1のビーム情報に基づく前記第1のアップリンク制御信号を、第2のワイヤレス通信デバイスの方に向けて送信するステップと、
前記第2のビーム情報に基づく前記第2のアップリンク制御信号を、前記第2のワイヤレス通信デバイスの方に向けて送信するステップと
をさらに含む、請求項1に記載の方法。
【請求項７】
前記第1のビーム情報に基づく前記第1のアップリンク制御信号を、第2のワイヤレス通信デバイスの方に向けて送信するステップと、
前記第2のビーム情報に基づく前記第2のアップリンク制御信号を、前記第2のワイヤレス通信デバイスとは異なる第3のワイヤレス通信デバイスの方に向けて送信するステップと
をさらに含む、請求項1に記載の方法。
【請求項８】
ワイヤレス通信の方法であって、
第1のビーム情報および第2の異なるビーム情報を示す送信構成を通信デバイスによって送信するステップと、
前記第1のビーム情報に基づいて第1のアップリンク制御信号を前記通信デバイスによって受信するステップと、
前記第2のビーム情報に基づいて第2のアップリンク制御信号を、前記第1のアップリンク制御信号内で表される同じ制御情報とともに、前記通信デバイスによって受信するステップと
を含む、方法。
【請求項９】
前記第1のビーム情報を、第1のビーム方向または第1の周波数リソースのうちの少なくとも1つを示すように前記通信デバイスによって構成するステップと、
前記第2のビーム情報を、第2の異なるビーム方向または第2の異なる周波数リソースのうちの少なくとも1つを示すように前記通信デバイスによって構成するステップと、
第1のビーム方向または第1の周波数リソースのうちの前記少なくとも1つから前記第1のアップリンク制御信号を受信するステップと、
第2のビーム方向または第2の周波数リソースのうちの前記少なくとも1つから前記第2のアップリンク制御信号を受信するステップと
をさらに含む、請求項8に記載の方法。
【請求項１０】
前記第1のビーム情報を、第1の送信時間間隔を示すように前記通信デバイスによって構成するステップと、
前記第2のビーム情報を、前記第1の送信時間間隔と少なくとも部分的に重複するような第2の送信時間間隔を示すように前記通信デバイスによって構成するステップであって、前記第1の送信時間間隔および前記第2の送信時間間隔がそれぞれ1つまたは複数のシンボルを含む、ステップと、
前記第1のアップリンク制御信号を前記第1の送信時間間隔内に受信するステップと、
前記第2のアップリンク制御信号を前記第2の送信時間間隔内に受信するステップと
をさらに含む、請求項8に記載の方法。
【請求項１１】
前記第1のビーム情報を、第1の送信時間間隔を示すように前記通信デバイスによって構成するステップと、
前記第2のビーム情報を、前記第1の送信時間間隔と重複しない第2の送信時間間隔を示すように前記通信デバイスによって構成するステップであって、前記第1の送信時間間隔および前記第2の送信時間間隔がそれぞれ1つまたは複数のシンボルを含む、ステップと、
前記第1のアップリンク制御信号を前記第1の送信時間間隔内に受信するステップと、
前記第2のアップリンク制御信号を前記第2の送信時間間隔内に受信するステップと
をさらに含む、請求項8に記載の方法。
【請求項１２】
第1の冗長バージョン(RV)に基づいて符号化された前記制御情報を搬送する前記第1のアップリンク制御信号を受信するステップと、
前記第1のRVとは異なる第2のRVに基づいて符号化された前記制御情報を搬送する前記第2のアップリンク制御信号を受信するステップと、
前記第1のアップリンク制御信号を、前記第2のアップリンク制御信号とは無関係に前記通信デバイスによって復号するステップと
をさらに含む、請求項8に記載の方法。
【請求項１３】
複数のビーム方向内で前記送信構成を送信するステップをさらに含む、請求項8に記載の方法。
【請求項１４】
第1の送信ポイント(TXP)を介して前記第1のアップリンク制御信号を受信するステップと、
前記第1のTXPとは異なる第2のTXPを介して前記第2のアップリンク制御信号を受信するステップと
をさらに含む、請求項8に記載の方法。
【請求項１５】
送信ポイント(TXP)を介して前記第1のアップリンク制御信号を受信するステップと、
前記TXPを介して前記第2のアップリンク制御信号を受信するステップと
をさらに含む、請求項8に記載の方法。
【請求項１６】
1つまたは複数のアンテナと、
トランシーバと
を備え、前記トランシーバが、
第1のビーム情報および第2の異なるビーム情報を示す送信構成を前記1つまたは複数のアンテナを介して受信することと、
前記第1のビーム情報に基づいて第1のアップリンク制御信号を前記1つまたは複数のアンテナを介して送信することと、
前記第2のビーム情報に基づいて第2のアップリンク制御信号を、前記第1のアップリンク制御信号内で表される同じ制御情報とともに、前記1つまたは複数のアンテナを介して送信することと
を行うように構成される、装置。
【請求項１７】
前記第1のビーム情報が第1のビーム方向または第1の周波数リソースのうちの少なくとも1つを示し、前記第2のビーム情報が第2の異なるビーム方向または第2の異なる周波数リソースのうちの少なくとも1つを示し、前記第1のアップリンク制御信号が第1のビーム方向または第1の周波数リソースのうちの前記少なくとも1つを使用して送信され、前記第2のアップリンク制御信号が第2のビーム方向または第2の周波数リソースのうちの前記少なくとも1つを使用して送信される、請求項16に記載の装置。
【請求項１８】
前記第1のビーム情報が第1の送信時間間隔を示し、前記第2のビーム情報が、前記第1の送信時間間隔と少なくとも部分的に重複する第2の送信時間間隔を示し、前記第1の送信時間間隔および前記第2の送信時間間隔がそれぞれ1つまたは複数のシンボルを含み、前記第1のアップリンク制御信号が前記第1の送信時間間隔の間に送信され、前記第2のアップリンク制御信号が前記第2の送信時間間隔の間に送信される、請求項16に記載の装置。
【請求項１９】
前記第1のビーム情報が第1の送信時間間隔を示し、前記第2のビーム情報が、前記第1の送信時間間隔と重複しない第2の送信時間間隔を示し、前記第1の送信時間間隔および前記第2の送信時間間隔がそれぞれ1つまたは複数のシンボルを含み、前記第1のアップリンク制御信号が前記第1の送信時間間隔の間に送信され、前記第2のアップリンク制御信号が前記第2の送信時間間隔の間に送信される、請求項16に記載の装置。
【請求項２０】
前記第1のアップリンク制御信号が第1の冗長バージョン(RV)に基づいて符号化された前記制御情報を搬送し、前記第2のアップリンク制御信号が前記第1のRVとは異なる第2のRVに基づいて符号化された前記制御情報を搬送する、請求項16に記載の装置。
【請求項２１】
前記1つまたは複数のアンテナを、前記第1のアップリンク制御信号および前記第2のアップリンク制御信号の前記送信をワイヤレス通信デバイスの方に向けるように構成するように構成されたプロセッサをさらに備える、請求項16に記載の装置。
【請求項２２】
前記1つまたは複数のアンテナを、前記第1のアップリンク制御信号の前記送信を第1のワイヤレス通信デバイスの方に向けるように構成することと、
前記1つまたは複数のアンテナを、前記第2のアップリンク制御信号の前記送信を第2のワイヤレス通信デバイスの方に向けるように構成することと
を行うように構成されたプロセッサをさらに備える、請求項16に記載の装置。
【請求項２３】
1つまたは複数のアンテナと、
トランシーバと
を備え、前記トランシーバが、
第1のビーム情報および第2の異なるビーム情報を示す送信構成を前記1つまたは複数のアンテナを介して送信することと、
前記第1のビーム情報に基づいて第1のアップリンク制御信号を前記1つまたは複数のアンテナを介して受信することと、
前記第2のビーム情報に基づいて第2のアップリンク制御信号を、前記第1のアップリンク制御信号内で表される同じ制御情報とともに、前記1つまたは複数のアンテナを介して受信することと
を行うように構成される、装置。
【請求項２４】
前記第1のビーム情報が第1のビーム方向または第1の周波数リソースのうちの少なくとも1つを示し、前記第2のビーム情報が第2の異なるビーム方向または第2の異なる周波数リソースのうちの少なくとも1つを示し、
前記トランシーバが、
前記第1のアップリンク制御信号を第1のビーム方向または第1の周波数リソースのうちの前記少なくとも1つから受信することと、
前記第2のアップリンク制御信号を第2のビーム方向または第2の周波数リソースのうちの前記少なくとも1つから受信することと
を行うようにさらに構成される、請求項23に記載の装置。
【請求項２５】
前記第1のビーム情報が第1の送信時間間隔を示し、前記第2のビーム情報が、前記第1の送信時間間隔と少なくとも部分的に重複する第2の送信時間間隔を示し、前記第1の送信時間間隔および前記第2の送信時間間隔がそれぞれ1つまたは複数のシンボルを含み、
前記トランシーバが、
前記第1のアップリンク制御信号を前記第1の送信時間間隔内に受信することと、
前記第2のアップリンク制御信号を前記第2の送信時間間隔内に受信することと
を行うようにさらに構成される、請求項23に記載の装置。
【請求項２６】
前記第1のビーム情報が第1の送信時間間隔を示し、前記第2のビーム情報が、前記第1の送信時間間隔と重複しない第2の送信時間間隔を示し、前記第1の送信時間間隔および前記第2の送信時間間隔がそれぞれ1つまたは複数のシンボルを含み、
前記トランシーバが、
前記第1のアップリンク制御信号を前記第1の送信時間間隔内に受信することと、
前記第2のアップリンク制御信号を前記第2の送信時間間隔内に受信することと
を行うようにさらに構成される、請求項23に記載の装置。
【請求項２７】
前記第1のアップリンク制御信号が第1の冗長バージョン(RV)に基づいて符号化された前記制御情報を搬送し、前記第2のアップリンク制御信号が前記第1のRVとは異なる第2のRVに基づいて符号化された前記制御情報を搬送し、前記装置が前記第1のアップリンク制御信号を、前記第2のアップリンク制御信号に無関係に復号するように構成されたプロセッサをさらに備える、請求項23に記載の装置。
【請求項２８】
前記トランシーバが、複数のビーム方向内で前記送信構成を送信するようにさらに構成される、請求項23に記載の装置。
【請求項２９】
前記トランシーバが、
第1の送信ポイント(TXP)を介して前記第1のアップリンク制御信号を受信することと、
前記第1のTXPとは異なる第2のTXPを介して前記第2のアップリンク制御信号を受信することと
を行うようにさらに構成される、請求項23に記載の装置。
【請求項３０】
前記トランシーバが、
送信ポイント(TXP)を介して前記第1のアップリンク制御信号を受信することと、
同じTXPを介して第2のアップリンク制御信号を受信することと
を行うようにさらに構成される、請求項23に記載の装置。
【発明の詳細な説明】
【技術分野】
【０００１】
関連出願の相互参照
本願は、下にその全体が完全に示されているかのように、すべての適用可能な目的に関して、その開示の全体が参照により本明細書に組み込まれている、2017年6月22日に出願した米国非仮出願第15/630,276号、2016年10月7日に出願した米国仮特許出願第62/405,789号、2017年3月10日に出願した米国仮特許出願第62/469,710号、および2017年3月10日に出願した米国仮特許出願第62/470,188号に対する優先権と利益とを主張するものである。
【０００２】
本開示で説明する技術は、一般に、ワイヤレス通信システムに関し、より詳細には、送信ポイント(TXP)において復号する物理アップリンク制御チャネル(PUCCH)のロバストネスを改善することに関する。いくつかの実施形態は、通信デバイス(たとえば、ユーザ機器デバイスまたはUE)が複数のビーム方向内で同じアップリンク制御情報の複数のコピーを1つまたは複数のTXPに送信することを可能にする改善された通信技法を可能にすることおよび提供することができる。
【背景技術】
【０００３】
音声、データ、ビデオなどの様々なタイプの通信を提供するために、ワイヤレス通信システムが広く展開されている。これらのシステムは、利用可能なシステムリソース(たとえば、帯域幅および送信電力)を共有することによって、複数のアクセス端末との通信をサポートすることができる多元接続システムであり得る。そのような多元接続システムの例には、符号分割多元接続(CDMA)システム、時分割多元接続(TDMA)システム、周波数分割多元接続(FDMA)システム、3GPPロングタームエボリューション(LTE)システム、および直交周波数分割多元接続(OFDMA)システムなどがある。
【０００４】
一般的には、ワイヤレス通信ネットワークは、いくつかの基地局(BS)を備え、各BSは、順方向リンクを使用して移動局またはユーザ機器デバイス(UE)と通信し、各移動局(またはアクセス端末)は、逆方向リンクを使用して基地局と通信する。順方向リンク方向は、ダウンリンク(DL)方向とも呼ばれる。逆方向リンク方向は、アップリンク(UL)方向とも呼ばれる。UEは、初期セルアクセスのためにBSと同期してBSとの接続を確立してもよい。その後、BSおよびUEはデータを交換し得る。データ交換を容易にするために、UEおよびBSは、制御情報を交換してもよい。DL制御情報のいくつかの例には、リソース割振りおよび変調コーディング方式(MCS)が含まれる場合がある。たとえば、BSは、ULおよびDL送信のために、ULおよびDLリソース割振り情報およびMCSをUEに送る場合がある。UL制御情報のいくつかの例には、チャネル品質インジケータ(CQI)と、データ肯定応答(ACK)と、not-ACK(NAK)とが含まれる場合がある。たとえば、UEは、BSがDLデータをUEに送信するために適切なMCSを選択し得るように、CQIをBSに報告する場合がある。UEは、DLデータが正確に受信されたかどうかを示すために、ACKまたはNAKをBSに送信してもよい。UL制御送信のロバストネスを改善することは、ワイヤレス通信に有益であり得る。
【発明の概要】
【課題を解決するための手段】
【０００５】
以下では、論じる技術の基本的理解を与えるために本開示のいくつかの態様を要約する。この要約は、本開示のすべての企図された特徴の広範な概観ではなく、本開示のすべての態様の主要または重要な要素を識別するものでもなく、本開示のいずれかまたはすべての態様の範囲を定めるものでもない。その唯一の目的は、後で提示するより詳細な説明の前置きとして、本開示の1つまたは複数の態様のいくつかの概念を概要の形で提示することである。
【０００６】
たとえば、本開示の一態様では、ワイヤレス通信の方法は、第1のビーム情報および第2の異なるビーム情報を示す送信構成を第1のワイヤレス通信デバイスによって受信するステップと、第1のビーム情報に基づいて第1のアップリンク制御信号を第1のワイヤレス通信デバイスによって送信するステップと、第2のビーム情報に基づいて第2のアップリンク制御信号を、第1のアップリンク制御信号内で表される同じ制御情報とともに第1のワイヤレス通信デバイスによって送信するステップとを含む。
【０００７】
本開示の追加の態様では、ワイヤレス通信の方法は、第1のビーム情報および第2の異なるビーム情報を示す送信構成を通信デバイスによって送信するステップと、第1のビーム情報に基づいて第1のアップリンク制御信号を通信デバイスによって受信するステップと、第2のビーム情報に基づいて第2のアップリンク制御信号を、第1のアップリンク制御信号内で表される同じ制御情報とともに通信デバイスによって受信するステップとを含む。
【０００８】
本開示の追加の態様では、装置は1つまたは複数のアンテナとトランシーバとを含み、トランシーバは、第1のビーム情報および第2の異なるビーム情報を示す送信構成を1つまたは複数のアンテナを介して受信することと、第1のビーム情報に基づいて第1のアップリンク制御信号を1つまたは複数のアンテナを介して送信することと、第2のビーム情報に基づいて第2のアップリンク制御信号を、第1のアップリンク制御信号内で表される同じ制御情報とともに1つまたは複数のアンテナを介して送信することとを行うように構成される。
【０００９】
本開示の追加の態様では、装置は1つまたは複数のアンテナとトランシーバとを含み、トランシーバは、第1のビーム情報および第2の異なるビーム情報を示す送信構成を1つまたは複数のアンテナを介して送信することと、第1のビーム情報に基づいて第1のアップリンク制御信号を1つまたは複数のアンテナを介して受信することと、第2のビーム情報に基づいて第2のアップリンク制御信号を、第1のアップリンク制御信号内で表される同じ制御情報とともに1つまたは複数のアンテナを介して受信することとを行うように構成される。
【００１０】
添付の図とともに本発明の特定の例示的な実施形態の以下の説明を検討すれば、本発明の他の態様、特徴、および実施形態が当業者に明らかとなろう。本発明の特徴について、以下のいくつかの実施形態および図に対して説明する場合があるが、本発明のすべての実施形態は、本明細書で説明する有利な特徴のうちの1つまたは複数を含むことができる。言い換えれば、1つまたは複数の実施形態がいくつかの有利な特徴を有するものとして説明されることがあるが、そのような特徴のうちの1つまたは複数はまた、本明細書で説明する本発明の様々な実施形態に従って使用され得る。同様に、例示的な実施形態について、デバイス実施形態、システム実施形態、または方法実施形態として以下で説明する場合があるが、そのような例示的な実施形態は、様々なデバイス、システム、および方法において実装され得る。
【図面の簡単な説明】
【００１１】
【図１】本開示の実施形態によるワイヤレス通信ネットワークを示す図である。
【図２】本開示の実施形態による、ワイヤレス通信ネットワーク内でアップリンク(UL)制御情報を送信するためのマルチビーム送信方式を示す図である。
【図３】本開示の実施形態による、ワイヤレス通信ネットワーク内でUL制御を送信するためのマルチビーム送信方式を示す図である。
【図４】本開示の実施形態による例示的なユーザ機器(UE)のブロック図である。
【図５】本開示の実施形態による例示的な基地局(BS)のブロック図である。
【図６】本開示の実施形態による例示的な中央装置のブロック図である。
【図７】本開示の実施形態による例示的な無線フレームを示す図である。
【図８】本開示の実施形態による、複数のビーム上の物理アップリンク制御チャネル(PUCCH)信号の同時送信のための送信方式を示す図である。
【図９】本開示の実施形態による、複数のビーム上のPUCCH信号の送信のための時分割多重(TDM)ベースの送信方式を示す図である。
【図１０】本開示の実施形態による、PUCCH信号をシグナリングして送信する方法のシグナリング図である。
【図１１】複数のビーム上でUL制御情報を送信する方法の流れ図である。
【図１２】本開示の実施形態による、複数のビームからUL制御情報を受信する方法の流れ図である。
【発明を実施するための形態】
【００１２】
添付の図面に関して以下に記載する発明を実施するための形態は、様々な構成について説明するものであり、本明細書で説明する概念が実践されてもよい唯一の構成を表すものではない。この発明を実施するための形態は、様々な概念の完全な理解を与えるための具体的な詳細を含む。しかしながら、これらの概念がこれらの具体的な詳細なしに実践されてもよいことが、当業者には明らかであろう。場合によっては、そのような概念を曖昧にするのを回避するために、周知の構造および構成要素はブロック図の形態で示されている。
【００１３】
本明細書で説明する技法は、符号分割多元接続(CDMA)、時分割多元接続(TDMA)、周波数分割多元接続(FDMA)、直交周波数分割多元接続(OFDMA)、シングルキャリアFDMA(SC-FDMA)および他のネットワークなどの様々なワイヤレス通信ネットワークに使用される場合がある。「ネットワーク」および「システム」という用語は、しばしば、互換的に使用される。CDMAネットワークは、ユニバーサル地上無線アクセス(UTRA)、cdma2000などの無線技術を実装することがある。UTRAは、広帯域CDMA(WCDMA(登録商標))およびCDMAの他の変形を含む。cdma2000は、IS-2000標準規格、IS-95標準規格、およびIS-856標準規格を包含する。TDMAネットワークは、モバイル通信用グローバスシステム(GSM(登録商標))などの無線技術を実施することができる。OFDMAネットワークは、発展型UTRA(E-UTRA)、ウルトラモバイルブロードバンド(UMB)、IEEE 802.11(Wi-Fi)、IEEE 802.16(WiMAX)、IEEE 802.20、Flash-OFDMA、その他などの無線技術を実装することができる。UTRAおよびE-UTRAは、ユニバーサルテレコミュニケーションシステム(UMTS)の一部である。3GPPロングタームエボリューション(LTE)およびLTEアドバンスト(LTE-A)は、E-UTRAを使用するUMITSの新しいリリースである。UTRA、E-UTRA、UMTS、LTE、LTE-A、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する組織からの文書に記載されている。本明細書で説明する技法は、上述のワイヤレスネットワークおよび無線技術、ならびに、次世代(たとえば、mmWav帯域内で動作する第5世代(5G))ネットワークなどの他のワイヤレスネットワークおよび無線技術のために使用される場合がある。
【００１４】
本出願は、BSにおいて復号するPUCCHに対するロバストネスを改善するためのメカニズムを説明する。開示する実施形態では、UEは、UL制御情報送信のために複数のリンクまたはチャネルの経路を採用する場合がある。複数のリンクは、送信および/または受信ダイバーシティを提供することができ、したがって、送信および復号のロバストネスを改善し得る。たとえば、UEは、異なるBS(または他の受信機ノード)に向けられた複数のビーム方向内で同じUL制御情報を送信してもよい。代替的に、UEは、同じBS(または同じ所期の目標)に向けられた複数のビーム方向内で同じUL制御情報を送信してもよい。BSは、物理ダウンリンク制御チャネルを介する複数のビーム上でのUL制御情報、またはネットワークレベルにおける無線リソース制御(RRC)メッセージを送信するためのリソース割振りおよび/または送信構成を示してもよい。UEは、各ビーム上でUL制御情報の同一の符号化バージョンまたは異なる符号化バージョンを送信してもよい。UEは、各送信時間間隔(TTI)がBSにおいて別個に復号され得るように、各TTI内にUL制御情報の完全な符号化バージョンを送信してもよい。開示する実施形態は、任意のワイヤレス通信ネットワークにおいて使用するのに適している。各UEは、任意の適切な数のビーム上で同じUL制御情報を送信してもよい。
【００１５】
図1は、本開示の実施形態によるワイヤレス通信ネットワーク100を示す。ネットワーク100は、いくつかのUE102ならびにいくつかのBS104を含んでもよい。BS104は、進化型ノードB(eノードB)または次世代ノードB(gNB)を含んでもよい。BS104は、UE102と通信する局であってもよく、基地トランシーバ局、ノードB、アクセスポイントなど呼ばれることもある。
【００１６】
BS104は、通信信号106によって示すようにUE102と通信する。UE102は、ULおよびDLを介してBS104と通信してもよい。DL(または順方向リンク)は、BS104からUE102への通信リンクを指す。UL(または逆方向リンク)は、UE102からBS104への通信リンクを指す。BS104はまた、通信信号108によって示すように、ワイヤードおよび/またはワイヤレス接続を通じて、直接的または間接的に互いに通信する場合がある。BS104は、性能を改善するためにジョイント送信および受信を協働的に実行する場合がある。いくつかの実施形態では、BS104は、UE102とのオーバージエアインターフェースに対する信号を送信および受信してベースバンド処理のために中央装置と通信するためのリモート無線ヘッドとして動作する送信ポイント(TXP)である場合がある。
【００１７】
UE102は、図示のように、ネットワーク100全体にわたって分散される場合があり、各UE102は固定またはモバイルであってもよい。UE 102は、端末、移動局、加入者ユニットなどと呼ばれる場合もある。UE102は、別のノードとワイヤレスに通信するように構成された任意のデバイスであってもよく、別のノードはBS104および/または1つまたは複数の他のUE102であってもよく、任意の適切なワイヤレス適用例を含んでもよい。UE102は、セルラーフォン、スマートフォン、携帯情報端末、ワイヤレスモデム、ラップトップコンピュータ、タブレットコンピュータ、車両、ドローン、センサノード、モノのインターネット(IoT)デバイス、産業用機器などであり得る。ネットワーク100は、本開示の様々な態様が適用されるネットワークの一例である。
【００１８】
各BS104は、特定の地理的エリアに通信カバレージを提供し得る。3GPPでは、「セル」という用語は、この用語が使用される文脈に応じて、カバレージエリアにサービスするBSおよび/またはBSサブシステムのこの特定の地理的カバレージエリアを指すことがある。この点について、BS104は、マクロセル、ピコセル、フェムトセル、および/または他のタイプのセルのための通信カバレージを提供してもよい。マクロセルは、一般に、比較的大きい地理的エリア(たとえば、半径数キロメートル)をカバーし、ネットワークプロバイダのサービスに加入しているUEによる無制限アクセスを可能にしてもよい。ピコセルは、概して、比較的小さい地理的エリアをカバーし得、ネットワークプロバイダを伴うサービスに加入しているUEによる無制限アクセスを可能にし得る。フェムトセルも、概して、比較的小さい地理的エリア(たとえば、自宅)をカバーし得、無制限アクセスに加えて、フェムトセルとの関連付けを有するUE(たとえば、限定加入者グループ(CSG:closed subscriber group)の中のUE、自宅の中のユーザ用のUEなど)による制限付きアクセスも提供し得る。マクロセルのためのBSは、マクロBSと呼ばれることがある。ピコセルのためのBSは、ピコBSと呼ばれることがある。また、フェムトセルのためのBSは、フェムトBSまたはホームBSと呼ばれることがある。
【００１９】
図1に示す例では、BS104a、104b、および104cは、それぞれカバレージエリア110a、110b、および110cに対するマクロBSの例である。BS104dおよび104eは、それぞれカバレージエリア110dおよび110eに対するピコおよび/またはフェムトBSの例である。認識されるように、BS104は、1つまたは複数(たとえば、2つ、3つ、4つなど)のセルをサポートしてもよい。
【００２０】
ネットワーク100はまた、中継局も含んでもよい。中継局は、上流局(たとえば、BS、UEなど)からデータおよび/または他の情報の送信を受信し、下流局(たとえば、別のUE、別のBSなど)にデータおよび/または他の情報の送信を送る局である。中継局はまた、他のUEのための送信を中継するUEであってもよい。中継局はまた、中継BS、中継UE、リレーなどと呼ばれることもある。
【００２１】
ネットワーク100は、同期動作または非同期動作をサポートしてもよい。同期動作の場合、BS104は同様のフレームタイミングを有してもよく、異なるBS104からの送信は近似的に時間的に整合されてもよい。非同期動作の場合、BS104は異なるフレームタイミングを有してもよく、異なるBS104からの送信は時間的に整合されないことがある。動作は、設計パラメータまたは実装パラメータに応じて所望されるかまたは必要とされるように、同期動作と非同期動作との間で変わる場合がある。
【００２２】
いくつかの実装形態では、ネットワーク100は、DL上で直交周波数分割多重化(OFDM)を利用し、UL上でシングルキャリア周波数分割多重化(SC-FDM)を利用する。OFDMおよびSC-FDMは、システム帯域幅を、複数(K個)の直交サブキャリア(トーン、ビンなどと呼ばれることがある)に区分する。各サブキャリアは、データによって変調されてもよい。一般に、変調シンボルは、OFDMでは周波数ドメインにおいて、SC-FDMでは時間ドメインにおいて送られる。隣接するサブキャリア同士の間の間隔は固定される場合があり、サブキャリアの総数(K)は、システム帯域幅に依存する場合がある。たとえば、Kは、1.4、3、5、10、15、または20メガヘルツ(MHz)の対応するシステム帯域幅に対して、それぞれ、72、180、300、600、900、および1200に等しくてもよい。システム帯域幅は、サブバンドに区分される場合もある。たとえば、サブバンドは1.08MHzをカバーすることができ、1.4、3、5、10、15、または20MHzの対応するシステム帯域幅に対して、それぞれ、1、2、4、8または16個のサブバンドが存在し得る。
【００２３】
一実施形態では、BS104は、ネットワーク100内のDLおよびUL送信に対する(たとえば、時間周波数リソースブロックの形の)送信リソースを割り当てるかまたはスケジュールすることができる。通信は、無線フレームの形であり得る。無線フレームは、複数のサブフレームに分割される場合がある。FDDモードでは、同時ULおよびDL送信が、異なる周波数帯域内で発生する場合がある。TDDモードでは、ULおよびDL送信は、同じ周波数帯域を使用して異なる時間期間において発生する。たとえば、無線フレーム内のサブフレームのサブセットがDL送信のために使用されてもよく、サブフレームの別のサブセットがUL送信のために使用されてもよい。DLおよびULサブフレームは、それぞれ、BS104とUE102との間で共有され得る。
【００２４】
DLサブフレームおよびULサブフレームは、いくつかの領域にさらに分割され得る。たとえば、各DLまたはULサブフレームは、基準信号、制御情報、およびデータの送信のためのあらかじめ規定された領域を有してもよい。基準信号は、BS104とUE102との間の通信を容易にする所定の信号である。たとえば、基準信号は、特定のパイロットパターンまたは構造を有することができ、ここでパイロットトーンは動作可能な帯域幅または周波数帯域にまたがる場合があり、各パイロットトーンはあらかじめ規定された時間およびあらかじめ規定された周波数に配置される。制御情報は、リソース割当ておよびプロトコル制御を含んでもよい。データは、プロトコルデータおよび/または動作データを含んでもよい。
【００２５】
LTEの文脈では、BS104は、DLサブフレームの物理ダウンリンク制御チャネル(PDCCH)領域内のDL制御情報と、DLサブフレームの物理ダウンリンク共有チャネル(PDSCH)領域内のDLデータとを送る場合がある。UE102は、ULサブフレームの物理アップリンク制御チャネル(PUCCH)領域内のUL制御情報と、ULサブフレームの物理アップリンク共有チャネル(PUSCH)領域内のULデータとを送る場合がある。
【００２６】
一実施形態では、BS104は、ネットワーク100に関連するシステム情報をブロードキャストすることができる。システム情報のいくつかの例には、セル帯域幅およびフレーム構成、セルアクセス情報、ならびに近隣セル情報などの物理層情報が含まれる場合がある。UE102は、ブロードキャストシステム情報をリッスンすることによってネットワーク100にアクセスすることができ、BS104との接続またはチャネル確立を要求する。たとえば、UE102は、BS104との通信を開始するためにランダムアクセス手順を実行することができ、その後、BS104に登録するために接続および/または登録手順を実行してもよい。接続および/または登録を完了した後、UE102およびBS104は通常動作段階に入ることができ、ここで動作データが交換されてもよい。データ交換に加えて、BS104およびUE102は、制御情報を交換してもよい。たとえば、BS104は、ULおよびDL送信のためのPDCCH内で、ULおよび/またはDLリソース割振り情報およびMCSをUEに送ってもよい。UE102は、PUCCH内でCQI、ACK、および/またはNAKを送ってもよい。
【００２７】
一実施形態では、ネットワーク100は、5G新無線(NR)ネットワークである場合がある。たとえば、ネットワーク100は、約1ギガヘルツ(GHz)から約6GHzまでの中間周波数帯域内で動作する場合がある。代替的に、ネットワーク100は、たとえば、ミリ波(mmWav)帯域と呼ばれる約60GHzにおける高周波数帯域内で動作する場合がある。より高い周波数帯域内で動作することはより大きい帯域幅を含むことができるが、経路損失(PL)は、従来のワイヤレスシステムより高くなる。より高いPLを克服するために、BS104および/またはUE102は、本明細書でより詳細に説明するように、送信における冗長度を増大してもよく、および/または送信に対する狭ビームパターンを生成するためにビームフォーミングを実行してもよい。
【００２８】
図2は、本開示の実施形態による、ワイヤレス通信ネットワーク200内でUL制御情報を送信するためのマルチビーム送信方式を示す。ネットワーク200は、ネットワーク100の一部に相当する。図2は、説明を簡単にするために2つのBS204および1つのUE202を示すが、本開示の実施形態がずっと多くのUE202および/またはBS204にスケーリングし得ることが認識されよう。BS204は、BS104と同様であり得る。UE202は、UE102と同様であり得る。UE202およびBS204は、任意の適切な周波数において互いに通信し得る。
【００２９】
ネットワーク200では、BS204aは、210a、210bおよび210cとして示す複数のビーム方向210内で信号を送信してもよく、複数のビーム方向210から信号受信してもよい。同様に、BS204bは、220a、220bおよび220cとして示す複数のビーム方向220内で信号を送信してもよく、複数のビーム方向220から信号受信してもよい。UE202は、異なるBS204に関連する複数のリンク接続を有する。図示のように、UE202は、ビーム方向210a内でBS204aへの1つのリンク接続を有し、ビーム方向220b内でBS204bへの別のリンク接続を有する。たとえば、BS204およびUE202は、特定のビーム方向内で信号を送信または受信するために(たとえば、空間フィルタ処理を介してまたは電気的遅延成分(electrical delay component)を介して)ビームフォーミングを採用してもよい。指向性ビームは、特定の方向内で最大の電力を有し得る。一例として、UE202は、ビーム方向210a内で放射するビームパターンを有する信号ビームを生成することによってBS204aと通信してもよく、ビーム方向210b内で放射するビームパターンを有する信号ビームを生成することによってBS204bと通信してもよい。
【００３０】
UL制御情報送信のロバストネスまたは性能を改善するために、UE202は、BS204aに向けられたビーム方向210a内およびBS204bに向けられたビーム方向220b内で同じUL制御情報(たとえば、CQI、ACKまたはNAKを表す情報ビット)を送信する。UE202は、複数のビーム方向210aおよび220b内でUL制御情報を送信するとき、UL制御情報を繰り返してもよく、または異なる冗長バージョン(RV)を用いてUL制御情報を符号化してもよい。UE202は、本明細書でより詳細に説明するように、複数のビーム方向210aおよび220b内でUL制御情報を同時に送信してもよく、またはTDM方式を採用してもよい。BS204aおよび204bは、たとえば、ソフト合成を実行することによって、UL制御情報を一緒に復号してもよい。したがって、異なる複数のBS204との複数のリンク接続を介するUL制御情報の送信は、複数のBS204におけるUL制御情報の復号ロバストネスを改善することができる。
【００３１】
図3は、本開示の実施形態による、ワイヤレス通信ネットワーク300内でUL制御を送信するためのマルチビーム送信方式を示す。ネットワーク300は、ネットワーク100の一部に相当する。図3は、説明を簡単にするために1つのBS204および1つのUE202を示すが、本開示の実施形態がずっと多くのUE202および/またはBS204にスケーリングし得ることが認識されよう。UE202およびBS204aは、任意の適切な周波数において互いに通信し得る。
【００３２】
ネットワーク200と同様に、BS204aは、複数のビーム方向210内で信号を送信してもよく、複数のビーム方向210から信号受信してもよい。しかしながら、UE202は、BS204aに関連する複数のリンク接続を有する。図示のように、UE202は、BS204aへの2つのリンク接続を、1つはビーム方向210a内に、もう1つはビーム方向210b内に有する。
【００３３】
UL制御情報送信のロバストネスまたは性能を改善するために、UE202は、BS204aに向けられたビーム方向210aおよび210b内で同じUL制御情報を送信する。UE202は、複数のビーム方向210aおよび210b内で送信するために、UL制御情報を繰り返してもよく、または異なるRVを用いてUL制御情報を符号化してもよい。UE202は、本明細書でより詳細に説明するように、複数のビーム方向210aおよび210b内でUL制御情報を同時に送信してもよく、またはTDM方式を採用してもよい。BS204は、たとえば、ソフト合成を実行することによって、ビーム方向210aと210bの両方から受信されたUL制御情報を一緒に復号してもよい。したがって、BS204aへの複数のリンク接続を介するUL制御情報の送信は、BS204aにおけるUL制御情報の復号ロバストネスを改善することができる。
【００３４】
図4は、本開示の実施形態によるUE400のブロック図である。UE400は、上記で説明したUE102または202であり得る。図示のように、UE400は、プロセッサ402と、メモリ404と、PUCCH生成および処理モジュール408と、モデムシステム412およびRFユニット414を含むトランシーバ410と、アンテナ416とを含み得る。これらの要素は、たとえば、1つまたは複数のバスを介して互いに直接的または間接的に通信していてもよい。
【００３５】
プロセッサ402は、中央処理装置(CPU)、デジタル信号プロセッサ(DSP)、特定用途向け集積回路(ASIC)、コントローラ、フィールドプログラマブルゲートアレイ(FPGA)デバイス、別のハードウェアデバイス、ファームウェアデバイス、または、本明細書で説明する動作を実行するように構成されたその任意の組合せを含んでもよい。プロセッサ402はまた、コンピューティングデバイスの組合せ、たとえばDSPとマイクロプロセッサの組合せ、複数のマイクロプロセッサ、DSPコアと連携する1つもしくは複数のマイクロプロセッサ、または任意の他のそのような構成として実装されてもよい。
【００３６】
メモリ404は、キャッシュメモリ(たとえば、プロセッサ402のキャッシュメモリ)、ランダムアクセスメモリ(RAM)、磁気抵抗RAM(MRAM)、読取専用メモリ(ROM)、プログラマブル読取専用メモリ(PROM)、消去可能プログラマブル読取専用メモリ(EPROM)、電気的消去可能プログラマブル読取専用メモリ(EEPROM)、フラッシュメモリ、固体メモリデバイス、ハードディスクドライブ、他の形の揮発性および不揮発性のメモリ、または異なるタイプのメモリの組合せを含み得る。一実施形態では、メモリ404は、非一時的コンピュータ可読媒体を含む。メモリ404は、命令406を記憶し得る。命令406は、プロセッサ402によって実行されたとき、プロセッサ402に、本開示の実施形態に関してUE102および202を参照しながら本明細書で説明する動作を実行させる命令を含み得る。命令406は、コードと呼ばれることもある。「命令」および「コード」という用語は、任意のタイプのコンピュータ可読ステートメントを含むものと広く解釈されるべきである。たとえば、「命令」および「コード」という用語は、1つまたは複数のプログラム、ルーチン、サブルーチン、関数、プロシージャなどを指し得る。「命令」および「コード」は、単一のコンピュータ可読ステートメントまたは多数のコンピュータ可読ステートメントを含み得る。
【００３７】
PUCCH生成および処理モジュール408は、ハードウェア、ソフトウェア、またはそれらの組合せによって実装され得る。たとえば、PUCCH生成および処理モジュール408は、プロセッサ、回路、および/またはメモリ404内に記憶され、プロセッサ402によって実行される命令406として実装され得る。PUCCH生成および処理モジュール408は、本開示の様々な態様のために使用され得る。たとえば、PUCCH生成および処理モジュール408は、本明細書でより詳細に説明するように、UL制御情報(たとえば、CQI、ACK、およびNAK)を生成することと、繰り返しまたはRVを用いてUL制御情報を符号化することと、複数のビーム方向(たとえば、ビーム方向210、220および310)内での符号化されたUL制御情報の送信をスケジュールすることとを行うように構成される。
【００３８】
図示のように、トランシーバ410は、モデムサブシステム412とRFユニット414とを含み得る。トランシーバ410は、BS104および204などの他のデバイスと双方向に通信するように構成され得る。モデムサブシステム412は、変調およびコーディング方式(MCS)、たとえば、低密度パリティチェック(LDPC)コーディング方式、ターボコーディング方式、畳み込みコーディング方式、デジタルビームフォーミング方式などに従って、メモリ404および/またはPUCCH生成および処理モジュール408からのデータを変調および/または符号化するように構成され得る。RFユニット414は、(アウトバウンド送信上の)モデムサブシステム412からの変調/符号化されたデータ、またはUE102もしくはBS104などの別のソースから生じる送信の変調/符号化されたデータを処理する(たとえば、アナログデジタル変換またはデジタルアナログ変換などを実行する)ように構成され得る。RFユニット414は、デジタルビームフォーミングと連携してアナログビームフォーミングを実行するようにさらに構成され得る。トランシーバ410内に一緒に一体化されるものとして示されているが、モデムサブシステム412およびRFユニット414は、UE 102が他のデバイスと通信することを可能にするためにUE 102において一緒に結合された別々のデバイスとすることができる。
【００３９】
RFユニット414は、変調および/または処理されたデータ、たとえば、データパケット(または、より一般的には、1つまたは複数のデータパケットおよび他の情報を含む場合があるデータメッセージ)を1つまたは複数の他のデバイスに送信するためにアンテナ416に提供し得る。このことは、たとえば、本開示の実施形態によるUL制御情報の送信を含み得る。アンテナ416は、他のデバイスから送信されたデータメッセージをさらに受信し得る。このことは、たとえば、本開示の実施形態による、UL制御情報送信構成またはシグナリングの受信を含み得る。アンテナ416は、受信されたデータメッセージをトランシーバ410での処理および/または復調のために提供してもよい。図4はアンテナ416を単一のアンテナとして示すが、アンテナ416は、複数の送信リンクを維持するために、同様のまたは異なる設計の複数のアンテナを含んでもよい。RFユニット414は、アンテナ416を構成し得る。
【００４０】
図5は、本開示の実施形態による例示的なBS500のブロック図を示す。BS500は、上記で説明したBS104または204であり得る。図示のように、BS500は、プロセッサ502と、メモリ504と、PUCCH構成および処理モジュール508と、モデムサブシステム512およびRFユニット514を含むトランシーバ510と、アンテナ516とを含み得る。これらの要素は、たとえば、1つまたは複数のバスを介して互いに直接的または間接的に通信していてもよい。
【００４１】
プロセッサ502は、特定のタイプのプロセッサとして様々な機能を有し得る。たとえば、これらは、本明細書で説明する動作を実行するように構成された、CPU、DSP、ASIC、コントローラ、FPGAデバイス、別のハードウェアデバイス、ファームウェアデバイス、またはそれらの任意の組合せを含み得る。プロセッサ502はまた、コンピューティングデバイスの組合せ、たとえばDSPとマイクロプロセッサの組合せ、複数のマイクロプロセッサ、DSPコアと連携する1つもしくは複数のマイクロプロセッサ、または任意の他のそのような構成として実装されてもよい。
【００４２】
メモリ504は、キャッシュメモリ(たとえば、プロセッサ502のキャッシュメモリ)、RAM、MRAM、ROM、PROM、EPROM、EEPROM、フラッシュメモリ、ソリッドステートメモリデバイス、1つもしくは複数のハードディスクドライブ、メモリスタベースアレイ、他の形態の揮発性メモリおよび不揮発性メモリ、または異なるタイプのメモリの組合せを含み得る。いくつかの実施形態では、メモリ504は、非一時的コンピュータ可読媒体を含み得る。メモリ504は、命令506を記憶し得る。命令506は、プロセッサ502によって実行されたとき、プロセッサ502に、本明細書で説明する動作を実行させる命令を含み得る。命令506はまたコードと呼ばれる場合があり、コードは、図4に関して上記で説明したように、任意のタイプのコンピュータ可読ステートメントを含めるように広く解釈される場合がある。
【００４３】
PUCCH生成および処理モジュール508は、ハードウェア、ソフトウェア、またはそれらの組合せによって実装され得る。たとえば、PUCCH生成および処理モジュール508は、メモリ504内に記憶され、プロセッサ502によって実行される、プロセッサ、回路、および/または命令506として実装され得る。PUCCH構成および処理モジュール508は、本開示の様々な態様のために使用され得る。たとえば、PUCCH構成および処理モジュール508は、本明細書でより詳細に説明するように、UL制御情報送信をスケジュールし、UE(たとえば、UE102または202)から受信されたUL制御情報を復号し得る。
【００４４】
図示のように、トランシーバ510は、モデムサブシステム512とRFユニット514とを含み得る。トランシーバ510は、UE102および202ならびに/または別のコアネットワーク要素などの他のデバイスと双方向に通信するように構成され得る。モデムサブシステム512は、MCS、たとえば、LDPCコーディング方式、ターボコーディング方式、畳み込みコーディング方式、デジタルビームフォーミング方式などに従って、データを変調および/または符号化するように構成され得る。RFユニット514は、(アウトバウンド送信上の)モデムサブシステム512からの変調/符号化されたデータ、またはUE102などの別のソースから生じる送信の変調/符号化されたデータを処理する(たとえば、アナログデジタル変換またはデジタルアナログ変換などを実行する)ように構成され得る。RFユニット514は、デジタルビームフォーミングと連携してアナログビームフォーミングを実行するようにさらに構成され得る。トランシーバ510内に一緒に一体化されるものとして示されているが、モデムサブシステム512およびRFユニット514は、BS104が他のデバイスと通信することを可能にするためにBS104において一緒に結合された別々のデバイスとすることができる。
【００４５】
RFユニット514は、変調および/または処理されたデータ、たとえば、データパケット(または、より一般的には、1つまたは複数のデータパケットおよび他の情報を含む場合があるデータメッセージ)を1つまたは複数の他のデバイスに送信するためにアンテナ516に提供し得る。このことは、たとえば、ネットワークへの接続を完了するための情報の送信、および本開示の実施形態に従ってキャンプしたUE102との通信を含み得る。アンテナ516は、他のデバイスから送信されるデータメッセージをさらに受信し、受信されたデータメッセージをトランシーバ510における処理および/または復調のために提供し得る。図5はアンテナ516を単一のアンテナとして示すが、アンテナ516は、複数の送信リンクを維持するために、同様のまたは異なる設計の複数のアンテナを含んでもよい。
【００４６】
いくつかの実施形態では、BS500はTXPとして動作し得る。そのような実施形態では、BS500は、モデムサブシステム512とPUCCH構成および処理モジュール508とを含まない場合がある。BS500は、RFユニット514およびアンテナ516を介してUEに対してオーバージエアで信号を送受信し得る。BS500は、モデムサブシステム512およびPUCCH構成および処理モジュール508の機能を実行するために中央装置とインターフェースし得る。BS500は、本明細書でより詳細に説明するように、中央装置と通信するために光インターフェースなど、別のインターフェースを含み得る。
【００４７】
図6は、本開示の実施形態による例示的な中央装置600のブロック図を示す。中央装置600は、BS104、204および500と通信し得る。図示のように、中央装置600は、プロセッサ602と、メモリ604と、PUCCH構成および処理モジュール608と、モデムサブシステム612および光ユニット614を含むトランシーバ610とを含み得る。これらの要素は、たとえば、1つまたは複数のバスを介して互いに直接的または間接的に通信していてもよい。
【００４８】
プロセッサ602は、特定のタイプのプロセッサとして様々な機能を有し得る。たとえば、これらは、本明細書で説明する動作を実行するように構成された、CPU、DSP、ASIC、コントローラ、FPGAデバイス、別のハードウェアデバイス、ファームウェアデバイス、またはそれらの任意の組合せを含み得る。プロセッサ602はまた、コンピューティングデバイスの組合せ、たとえばDSPとマイクロプロセッサの組合せ、複数のマイクロプロセッサ、DSPコアと連携する1つもしくは複数のマイクロプロセッサ、または任意の他のそのような構成として実装されてもよい。
【００４９】
メモリ604は、キャッシュメモリ(たとえば、プロセッサ602のキャッシュメモリ)、RAM、MRAM、ROM、PROM、EPROM、EEPROM、フラッシュメモリ、ソリッドステートメモリデバイス、1つもしくは複数のハードディスクドライブ、メモリスタベースアレイ、他の形態の揮発性メモリおよび不揮発性メモリ、または異なるタイプのメモリの組合せを含み得る。いくつかの実施形態では、メモリ604は、非一時的コンピュータ可読媒体を含み得る。メモリ604は、命令606を記憶し得る。命令606は、プロセッサ602によって実行されたとき、プロセッサ602に、本明細書で説明する動作を実行させる命令を含み得る。命令606はまたコードと呼ばれる場合があり、コードは、図7に関して上記で説明したように、任意のタイプのコンピュータ可読ステートメントを含めるように広く解釈される場合がある。
【００５０】
PUCCH構成および処理モジュール608は、本開示の様々な態様のために使用され得る。PUCCH構成および処理モジュール608は、PUCCH構成および処理モジュール508と実質的に同様であり得る。たとえば、PUCCH構成および処理モジュール508は、UL制御情報送信をスケジュールし、UE(たとえば、UE102および202)から受信されたUL制御情報を復号し得る。
【００５１】
図示のように、トランシーバ610は、モデムサブシステム612と光ユニット614とを含み得る。トランシーバ610は、TXPおよび/または別のコアネットワーク要素として動作するBS104、204および500などの他のデバイスと双方向に通信するように構成され得る。モデムサブシステム612は、MCS、たとえば、LDPCコーディング方式、ターボコーディング方式、畳み込みコーディング方式などに従って、データを変調および/または符号化するように構成され得る。光ユニット614は、TXPとして動作するBSに送信するために電気信号を光信号に変換すること、および/またはBSから光信号を受信してその光信号を電気信号に変換することを行う電気光(E/O)構成要素および/または光電気(O/E)構成要素をそれぞれ含み得る。光ユニット614は、(アウトバウンド送信上の)モデムサブシステム612からの変調/符号化されたデータ、またはバックエンドネットワークまたはコアネットワークなどの別のソースから生じる送信の変調/符号化されたデータを処理する(たとえば、アナログデジタル変換またはデジタルナログ変換、光電気変換または電気光変換などを実行する)ように構成され得る。トランシーバ610内に一緒に一体化されるものとして示されているが、モデムサブシステム612および光ユニット614は、中央装置600が他のデバイスと通信することを可能にするために中央装置600において一緒に結合された別々のデバイスとすることができる。光ユニット614は、光リンク上で変調および/または処理されたデータを搬送する光信号を送信し得る。光ユニット614はさらに、データメッセージを搬送する光信号を受信し、受信されたデータメッセージをトランシーバ610において処理および/または復調するために供給し得る。
【００５２】
図7は、本開示の実施形態による無線フレーム700を示す。無線フレーム700は、ネットワーク100、200および300によって採用され得る。詳細には、BS104、204および500などのBSならびにUE102、202および400などのUEは、無線フレーム700を使用してデータを交換し得る。図7では、x軸はある一定の単位での時間を表し、y軸はある一定の単位での周波数を表す。無線フレーム700は、時間および周波数にわたるN個の複数のサブフレーム710を含む。一実施形態では、無線フレーム700は、約10ミリ秒(ms)の時間間隔にわたる場合がある。各サブフレーム710は、M個の複数のスロット720を含む。各スロット720は、K個の複数のミニスロット730を含む。各スロット730は、1つまたは複数のシンボル740を含み得る。N、MおよびKは、任意の適切な正の整数であり得る。BSまたはUEは、サブフレーム710、スロット720またはミニスロット730の単位でデータを送り得る。
【００５３】
複数のビーム方向内でUL制御情報を送ることに加えて、UEは、ブロッキング効果を緩和するために、特定のビーム方向(たとえば、ビーム方向210、220および310)を介して各PUCCH送信内にUL制御情報の複数の繰り返しまたは複数の符号化RVを含み得る。したがって、PUCCH送信は、1つまたは複数のシンボル740、1つまたは複数のミニスロット730、1つまたは複数のスロット720、または1つまたは複数のサブフレーム710にわたる場合がある。したがって、PUCCH送信は、可変長(たとえば、可変時間期間)を有する場合がある。一例として、各サブフレーム710は2つのスロット720を含んでもよく、各スロット720は7つのシンボル740を含んでもよく、UL制御情報の各繰り返しは2つのシンボル740内で送信されてもよい。したがって、PUCCH TTIは、8つの繰り返しを含むために、2つ以上のスロット720にわたる場合がある。加えて、同じUL制御情報を搬送するPUCCH送信は、同じ持続時間または異なる持続時間にわたる場合がある。一実施形態では、本明細書でより詳細に説明するように、BSは、UL制御情報の送信のためにリソースをスケジュールして割り振ってもよく、そのスケジュールまたは割振りを、PDCCH内でまたはRRCメッセージを介して示してもよい。
【００５４】
図8は、本開示の実施形態による、複数のビーム上のPUCCH信号の同時送信のための送信方式800を示す。方式800は、UE102、202および400によって採用され得る。図8では、タイミング図810は、オーバージエア送信タイミングを示し、ここでx軸はある一定の単位での時間を表し、y軸はある一定の単位での周波数を表す。タイミング図820はUEにおける送信タイミングを示し、ここでx軸はタイミング図810に整合された時間を表し、y軸はビーム方向を表す。方式800では、UEは、複数のビーム方向内でUL制御情報を同時に送信する。図示のように、UEは、同じTTI812内にUL制御情報を搬送する、第1のビーム方向832内のPUCCH信号822と、第2のビーム方向834内のPUCCH信号824とを同時に送信する。TTI812は、1つまたは複数のミニスロット730、1つまたは複数のスロット720、または1つまたは複数のサブフレーム710を含み得る。
【００５５】
一実施形態では、図2に関して示し、説明したように、第1のビーム方向832(たとえば、ビーム方向210a)および第2のビーム方向(たとえば、ビーム方向220b)は異なるBSに向けられている。別の実施形態では、図3に関して示し、説明したように、第1のビーム方向832(たとえば、ビーム方向310a)および第2のビーム方向834(たとえば、ビーム方向310b)は同じBSに向けられている。
【００５６】
一実施形態では、PUCCH信号822および824は、UL制御情報の同一のコピーを搬送し得る。別の実施形態では、PUCCH信号822および824は、UL制御情報の異なる冗長バージョンを搬送し得る。たとえば、UEは、UL制御情報を符号化するために、畳み込みコードなどの誤り符号化方式を採用し得る。UEは、PUCCH信号822内の冗長ビットとUL制御情報との1つのセットと、PUCCH信号824内の冗長ビットとUL制御情報との別のセットとを送り得る。代替的に、UEは、PUCCH信号822内のUL制御情報とPUCCH信号824内の冗長ビットとを送り得る。いくつかの他の実施形態では、PUCCH信号822および824は、UL制御情報の異なる部分を搬送し得る。いくつかの実施形態では、各PUCCH送信は、独立したチャネル推定を可能にするために、復調基準信号(DMRS)パターンを含み得る。したがって、PUCCH信号822および824は、自己復号可能である。図8は同じ持続時間および同じ周波数にわたるPUCCH信号822および824を示しているが、PUCCH信号822および824は、異なる持続時間および/または異なる周波数にわたってもよい。
【００５７】
複数のビーム上の同時送信をサポートするために、UEは、複数のアンテナサブアレイを含んでもよく、各アンテナサブアレイは、アンテナのアレイ(たとえば、アンテナ516)と複数のデジタルトランシーバチェーン(たとえば、トランシーバ510)とを有する。UEは、デジタルトランシーバチェーンを複数のリンクに区分してもよく、各リンクはアンテナサブアレイに結合される。UEは、1つのデジタルトランシーバチェーンおよび対応するアンテナサブアレイを介するPUCCH信号822と、別のデジタルトランシーバチェーンおよび対応するアンテナサブアレイを介するPUCCH信号824とを同時に送信し得る。
【００５８】
図9は、本開示の実施形態による、複数のビーム上のPUCCH信号の送信のためのTDMベースの送信方式900を示す。方式800は、UE102、202および400によって採用され得る。図9では、タイミング図910は、オーバージエア送信タイミングを示し、ここでx軸はある一定の単位での時間を表し、y軸はある一定の単位での周波数を表す。タイミング図920はUEにおける送信タイミングを示し、ここでx軸はタイミング図910に整合された時間を表し、y軸はビーム方向を表す。方式900では、UEはTDM方式を採用し、PUCCH信号822および824を、方式800のように同時にではなく複数のビーム上で送信する。図示のように、UEは、TTI812a内に第1のビーム方向832内でPUCCH信号822を送信し、別のTTI812b内に第2のビーム方向834内でPUCCH信号824を送信する。図9は、連続するTTI812内に同じ周波数にわたってPUCCH信号822および824を送信することを示しているが、PUCCH信号822および824の送信は、時間的に離間してもよく、および/または異なる周波数にわたってもよい。
【００５９】
図10は、本開示の実施形態による、PUCCH信号822および824などのPUCCH信号をシグナリングして送信する方法1000のシグナリング図である。方法1000のステップは、BS104、204および500ならびにUE102、202および400など、ワイヤレス通信デバイスのコンピューティングデバイス(たとえば、プロセッサ、処理回路、および/または他の適切な構成要素)によって実行され得る。方法1000は、図2、図3、図8および図9を参照することで、より良く理解され得る。図示のように、方法1000はいくつかの列挙されるステップを含むが、方法1000の実施形態は、列挙されるステップの前、後、およびステップ間に追加のステップを含んでもよい。いくつかの実施形態では、列挙されるステップのうちの1つまたは複数は、省略されてもよくまたは異なる順序で実行されてもよい。方法1000は、説明を簡単にするために2つのBS204(たとえば、BS204aおよび204b)および1つのUE202を示すが、本開示の実施形態がずっと多くのUE202および/またはBS204にスケーリングし得ることが認識されよう。BS204aおよび204bは、ネットワークを介して互いに通信し得る。一実施形態では、BS204aおよび204bは、ベースバンド処理を含むeNBである。別の実施形態では、BS204aおよび204bはTXPであり、ここでベースバンド処理は中央装置(たとえば、中央装置600)において実行される。
【００６０】
ステップ1010において、BS204aは、PUCCH割振り情報をUE202に送信する。一実施形態では、BS204aは、PUCCH割振り情報をPDCCH内で送信し得る。PDCCHは、複数のビーム上でUL制御情報を送信するためにUE202に割り振られたリソースを示し得る。たとえば、PDCCHは、第1のビーム方向(たとえば、ビーム方向210、220、310、832および834)内の割振りと、第2のビーム方向内の割振りとを示し得る。割振りは、TTI812と同様であってもよい。したがって、いくつかの例では、BS204aは、第1のビーム方向と第2のビーム方向とを示すために、PUCCH割振りまたは送信構成を構成する場合がある。いくつかの例では、BS204aは、方式800および900に示すように、第1のビーム方向に対する第1のTTI(たとえば、TTI812)と第2のビーム方向に対する第2のTTIとを示すために、PUCCH割振りまたは送信構成をさらに構成する場合がある。
【００６１】
別の実施形態では、BS204aは、複数のビーム上でUL制御情報を送信するための送信構成を示すRRCメッセージを送信する場合がある。たとえば、RRCメッセージは、各PUCCH割振りが複数のビーム方向内の割振りを含み得ることを示す場合がある。いくつかの実施形態では、PUCCH割振り情報は、PDCCHシグナリングとRRCメッセージの組合せを通して示される場合がある。
【００６２】
ステップ1020において、UE202は、複数のビーム方向内で同じUL制御情報を搬送するPUCCH信号(たとえば、PUCCH信号822および824)を送信する。一実施形態では、ネットワーク200に示すように、複数のビーム方向が、異なるBS204に向けられる。たとえば、破線の矢印で示すように、1つのビーム方向がBS204aの方に向けられ、別のビーム方向がBS204bの方に向けられる。別の実施形態では、ネットワーク300に示すように、複数のビーム方向が、同じBS204aに向けられる。UE202は、送信のために方式800または900を採用してもよい。
【００６３】
一実施形態では、UE202は、各ビーム方向内で各TTI内に同一の符号化されたUL制御情報を送信してもよい。PUCCH信号を受信すると、BS204aおよび/または204bは、UL制御情報を復元するために、PUCCH信号を個別にまたは一緒に復号してもよい。
【００６４】
別の実施形態では、UE202は、LTE PDCCHの制御チャネル要素(CCE)およびリソース要素グループ(REG)ならびに循環型(circular-type)レートマッチングと同様のリソース構造を使用して、各ビーム方向内で各TTI内にUL制御情報の異なる符号化RVを送信する場合がある。CCEおよびREGは、シンボルとサブキャリアのセットまたは周波数トーンを指す。LTE PDCCHでは、各CCEおよび各REGは自己復号可能である。レートマッチングは、特定のコーディングレートまたは送信レートに一致させるために、TTI内に送信するための符号化されたビットのセットを抽出することを指す。いくつかの実施形態では、レートマッチングは、符号化されたビットを収集するために循環バッファを採用してもよく、符号化されたビットは、特定のレートに一致させるためにパンクチャーされてもよく、または繰り返されてもよい。RV符号化を容易にするために、BS204aは、特定のビーム方向内で特定のRVを採用するようにUE202に指示してもよい。代替的に、UE202は、所定の規則に基づいてビーム方向に対するRVを選択してもよい。PUCCH信号を受信すると、BS204aおよび/または204bは、UL制御情報を復元するために、PUCCH信号を個別にまたは一緒に復号し得る。UL制御情報の完全に符号化されたバージョンを各TTI内に送信することによって、BS204aおよび204bは、TTI内に搬送されるPUCCH信号を、別のTTI内に搬送される別のPUCCH信号とは無関係に復号し得る。
【００６５】
図11は、複数のビーム上でUL制御情報を送信する方法1100の流れ図である。方法1100のステップは、UE102、202および400など、ワイヤレス通信デバイスのコンピューティングデバイス(たとえば、プロセッサ、処理回路、および/または他の適切な構成要素)によって実行され得る。方法1100は、図2および図3ならびに方式800および900に関して説明した送信方式におけるものと同様のメカニズムを採用してもよい。方法1100は、図2、図3を参照することで、より良く理解され得る。図示のように、方法1100はいくつかの列挙されるステップを含むが、方法1100の実施形態は、列挙されるステップの前、後、およびステップ間に追加のステップを含んでもよい。いくつかの実施形態では、列挙されるステップのうちの1つまたは複数は、省略されてもよく、または異なる順序で実行されてもよい。
【００６６】
ステップ1110において、方法1100は、第1のビーム方向(たとえば、ビーム方向210aおよび832)内で第1のUL制御信号(たとえば、PUCCH信号822)を送信するステップを含む。第1のUL制御信号は、UL制御情報(たとえば、CQI、ACK、またはNAK)を搬送するかまたは表す。
【００６７】
ステップ1120において、方法1100は、第2のビーム方向(たとえば、ビーム方向210bおよび834)内で第2のUL制御信号(たとえば、PUCCH信号824)を送信するステップを含む。第2のUL制御信号は、第1のUL制御信号と同じUL制御情報を搬送するかまたは表す。第1のUL制御信号および第2のUL制御信号は、方式800または900に従って送信され得る。第1のUL制御信号および第2のUL制御信号は、UL制御情報の同じ符号化バージョンを搬送してもよく、またはUL制御情報の異なる符号化バージョンを搬送してもよい。第1のビーム方向および第2のビーム方向は、異なるビーム方向であってもよい。たとえば、第1のUL制御信号および第2の制御信号は、異なる空間的方向(たとえば、角度方向)に向きながら最大の信号電力を有する場合がある。いくつかの実施形態では、第1のビーム方向および第2のビーム方向は、方法1000におけるように、BSからの送信構成において受信されたる。
【００６８】
図12は、本開示の実施形態による、複数のビームからUL制御情報を受信する方法1200の流れ図である。方法1200のステップは、BS104、204および500ならびに中央装置600など、通信デバイスのコンピューティングデバイス(たとえば、プロセッサ、処理回路、および/または他の適切な構成要素)によって実行され得る。方法1200は、図2および図3ならびに方式800および900に関して説明した送信方式におけるものと同様のメカニズムを採用してもよい。方法1200は、図2、図3を参照することで、より良く理解され得る。図示のように、方法1200はいくつかの列挙されるステップを含むが、方法1200の実施形態は、列挙されるステップの前、後、およびステップ間に追加のステップを含んでもよい。いくつかの実施形態では、列挙されるステップのうちの1つまたは複数は、省略されてもよく、または異なる順序で実行されてもよい。
【００６９】
ステップ1210において、方法1200は、第1のビーム方向(たとえば、ビーム方向210、220、310、832および834)から第1のUL制御信号(たとえば、PUCCH信号832)を受信するステップを含む。第1のUL制御信号は、UL制御情報(たとえば、CQI、ACK、またはNAK)を搬送する。
【００７０】
ステップ1220において、方法1200は、第2のビーム方向から第2のUL制御信号(たとえば、PUCCH信号834)を受信するステップを含む。第2のUL制御信号は、同じUL制御情報を搬送する。第1のUL制御信号および第2のUL制御信号は、それぞれ、方式800または900に示すように、同じTTI(たとえば、TTI812)または異なるTTI内に受信され得る。いくつかの実施形態では、ワイヤレス通信デバイスは、方法1000におけるように第1のビーム方向および第2のビーム方向を示す送信構成を送信してもよく、送信構成に従って第1のUL制御信号および第2のUL制御信号を受信してもよい。
【００７１】
第1のUL制御信号および第2のUL制御信号は、UL制御情報の同じ符号化バージョンまたはUL制御情報の異なる符号化バージョンを、搬送してもよくまたは表してもよい。一実施形態では、通信デバイスが中央装置であるとき、中央装置は、それぞれ、第1のTXPおよび第2のTXPと通信していてもよく、第1のTXPおよび第2のTXPを介して第1のUL制御信号および第2の制御信号を受信してもよい。
【００７２】
情報および信号は、様々な異なる技術および技法のいずれかを使用して表されてよい。たとえば、上記の説明全体にわたって言及され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【００７３】
本開示に関して説明される様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明される機能を実行するように設計されたそれらの任意の組合せを用いて実装または実行され得る。汎用プロセッサはマイクロプロセッサであってよいが、代替として、プロセッサは任意の従来のプロセッサ、コントローラ、マイクロコントローラ、または状態機械であってよい。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)としても実装され得る。
【００７４】
本明細書で説明した機能は、ハードウェア、プロセッサによって実行されるソフトウェア、ファームウェア、またはそれらの任意の組合せとして実装されてよい。プロセッサによって実行されるソフトウェアで実装される場合、機能は、1つまたは複数の命令またはコードとして、コンピュータ可読媒体上に記憶されてよく、またはコンピュータ可読媒体を介して送信されてよい。他の例および実装形態が、本開示の範囲内および添付の特許請求の範囲内に入る。たとえば、ソフトウェアの性質に起因して、上記で説明した機能は、プロセッサ、ハードウェア、ファームウェア、ハードワイヤリング、またはこれらのうちのいずれかの組合せによって実行されるソフトウェアを使用して実装されることが可能である。機能を実施する特徴はまた、異なる物理的位置において機能の部分が実装されるように分散されることを含めて、様々な位置に物理的に配置されてもよい。また、特許請求の範囲内を含めて本明細書で使用する場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。
【００７５】
本開示の実施形態は、第1のビーム方向内で第1のアップリンク制御信号を第1のワイヤレス通信デバイスによって送信するステップと、第2のビーム方向内で第2のアップリンク制御信号を第1のワイヤレス通信デバイスによって送信するステップとを含むワイヤレス通信の方法を含み、第1のアップリンク制御信号および第2のアップリンク制御信号は同じ制御情報を搬送し、第1のビーム方向と第2のビーム方向とは異なる。
【００７６】
方法は、第1のアップリンク制御信号が第1の送信時間間隔内に第1のビーム方向内で送信されることと、第2のアップリンク制御信号が第2の送信時間間隔内に第2のビーム方向内で送信されることと、第1の送信時間間隔および第2の送信時間間隔が1つまたは複数のシンボルを含むこととをさらに含む。方法は、第1の送信時間間隔および第2の送信時間間隔が同じ送信時間間隔であることをさらに含む。方法は、第2の送信時間間隔が第1の送信時間間隔の後であることをさらに含む。方法は、アップリンク制御情報送信のための送信構成を第1のワイヤレス通信デバイスによって受信するステップをさらに含み、第1のアップリンク制御信号および第2のアップリンク制御信号は、送信構成に基づいて送信される。方法は、送信構成が、第1の送信時間間隔および第2の送信時間間隔が同じ送信時間間隔を示すことをさらに含む。方法は、第1のアップリンク制御信号が、第1の冗長バージョン(RV)に基づいて符号化された制御情報を搬送することと、第2のアップリンク制御信号が、第1のRVとは異なる第2のRVに基づいて符号化された制御情報を搬送することとをさらに含む。方法は、第1のビーム方向および第2のビーム方向が、それぞれ、第2のワイヤレス通信デバイスの方に向けられることをさらに含む。方法は、第1のビーム方向が、第2のワイヤレス通信デバイスの方に向けられることと、第2のビーム方向が、第3のワイヤレス通信デバイスの方に向けられることとをさらに含む。
【００７７】
本開示の実施形態は、第1のビーム方向から第1のアップリンク制御信号を通信デバイスによって受信するステップと、第2のビーム方向から第2のアップリンク制御信号を通信デバイスによって受信するステップとを含むワイヤレス通信の方法を含み、第1のアップリンク制御信号および第2のアップリンク制御信号は同じ制御情報を搬送し、第1のビーム方向と第2のビーム方向とは異なる。
【００７８】
方法は、第1のアップリンク制御信号が第1の送信時間間隔内に第1のビーム方向から受信されることと、第2のアップリンク制御信号が第2の送信時間間隔内に第2のビーム方向から受信されることと、第1の送信時間間隔および第2の送信時間間隔が1つまたは複数のシンボルを含むこととをさらに含む。方法は、第1の送信時間間隔および第2の送信時間間隔が同じ送信時間間隔であることをさらに含む。方法は、第2の送信時間間隔が第1の送信時間間隔の後であることをさらに含む。方法は、第1の時間間隔内に第1のアップリンク制御信号を通信デバイスによって、第2のアップリンク制御信号とは無関係に復号するステップをさらに含む。方法は、第1のアップリンク制御信号が、第1の冗長バージョン(RV)に基づいて符号化された制御情報を搬送することと、第2のアップリンク制御信号が、第1のRVとは異なる第2のRVに基づいて符号化された制御情報を搬送することとをさらに含む。方法は、複数のビーム方向内でアップリンク制御情報送信のための送信構成を通信デバイスによって送信するステップをさらに含み、第1のアップリンク制御信号および第2のアップリンク制御信号は送信構成に基づいて受信される。方法は、通信デバイスが第1の送信ポイント(TXP)と通信していることと、通信デバイスが第1のTPとは異なる第2のTXPと通信していることと、第1のアップリンク制御信号が第1のTXPを介して受信されることと、第2のアップリンク制御信号が第2のTXPを介して受信されることとをさらに含む。方法は、通信デバイスが送信ポイント(TXP)と通信していることと、第1のアップリンク制御信号および第2のアップリンク制御信号が同じTXPを介して受信されることとをさらに含む。
【００７９】
本開示の実施形態は、第1のビーム方向内で第1のアップリンク制御信号を送信することと、第2のビーム方向内で第2のアップリンク制御信号を送信することとを行うように構成された送信機を備える装置を含み、第1のアップリンク制御信号および第2のアップリンク制御信号は同じ制御情報を搬送し、第1のビーム方向と第2のビーム方向とは異なる。
【００８０】
装置は、第1のアップリンク制御信号が第1の送信時間間隔内に第1のビーム方向内で送信されることと、第2のアップリンク制御信号が第2の送信時間間隔内に第2のビーム方向内で送信されることと、第1の送信時間間隔および第2の送信時間間隔が1つまたは複数のシンボルを含むこととをさらに含む。装置は、第1の送信時間間隔および第2の送信時間間隔が同じ送信時間間隔であることをさらに含む。装置は、第2の送信時間間隔が第1の送信時間間隔の後であることをさらに含む。装置は、アップリンク制御情報送信のための送信構成を受信するように構成された受信機をさらに含み、第1のアップリンク制御信号および第2のアップリンク制御信号は送信構成に基づいて送信される。装置は、送信構成が第1の送信時間間隔および第2の送信時間間隔が同じ送信時間間隔を示すことをさらに含む。装置は、第1のアップリンク制御信号が第1の冗長バージョン(RV)に基づいて符号化された制御情報を搬送することと、第2のアップリンク制御信号が第1のRVとは異なる第2のRVに基づいて符号化された制御情報を搬送することとをさらに含む。装置は、第1のビーム方向および第2のビーム方向がそれぞれワイヤレス通信デバイスの方に向けられることをさらに含む。装置は、第1のビーム方向が第1のワイヤレス通信デバイスの方に向けられることと、第2のビーム方向が第2のワイヤレス通信デバイスの方に向けられることとをさらに含む。
【００８１】
本開示の実施形態は、第1のビーム方向から第1のアップリンク制御信号を受信することと、第2のビーム方向から第2のアップリンク制御信号を受信することとを行うように構成された受信機を備える装置を含み、第1のアップリンク制御信号および第2のアップリンク制御信号は同じ制御情報を搬送し、第1のビーム方向と第2のビーム方向とは異なる。
【００８２】
装置は、第1のアップリンク制御信号が第1の送信時間間隔内に第1のビーム方向から受信されることと、第2のアップリンク制御信号が第2の送信時間間隔内に第2のビーム方向から受信されることと、第1の送信時間間隔および第2の送信時間間隔が1つまたは複数のシンボルを含むこととをさらに含む。装置は、第1の送信時間間隔および第2の送信時間間隔が同じ送信時間間隔であることをさらに含む。装置は、第2の送信時間間隔が第1の送信時間間隔の後であることをさらに含む。装置は、第1の送信時間間隔内に第1のアップリンク制御信号を、第2のアップリンク制御信号とは無関係に復号するように構成されたプロセッサをさらに含む。装置は、第1のアップリンク制御信号が第1の冗長バージョン(RV)に基づいて符号化された制御情報を搬送することと、第2のアップリンク制御信号が第1のRVとは異なる第2のRVに基づいて符号化された制御情報を搬送することとをさらに含む。装置は、複数のビーム方向内でアップリンク制御情報送信のための送信構成を送信するように構成された送信機をさらに含み、第1のアップリンク制御信号および第2のアップリンク制御信号は送信構成に基づいて受信される。装置はさらに第1の送信ポイント(TXP)と通信しており、装置は第1のTPとは異なる第2のTXPと通信しており、第1のアップリンク制御信号は第1のTXPを介して受信され、第2のアップリンク制御信号は第2のTXPを介して受信される。装置はさらに送信ポイント(TXP)と通信しており、第1のアップリンク制御信号および第2のアップリンク制御信号は同じTXPを介して受信される。この装置はさらに含む
【００８３】
本開示の実施形態は、プログラムコードを記録したコンピュータ可読媒体をさらに含み、プログラムコードは、第1のワイヤレス通信デバイスに、第1のビーム方向内で第1のアップリンク制御信号を送信させるためのコードと、第1のワイヤレス通信デバイスに、第2のビーム方向内で第2のアップリンク制御信号を送信させるためのコードとを含み、第1のアップリンク制御信号および第2のアップリンク制御信号は同じ制御情報を搬送し、第1のビーム方向と第2のビーム方向とは異なる。
【００８４】
コンピュータ可読媒体は、第1のアップリンク制御信号が第1の送信時間間隔内に第1のビーム方向内で送信されることと、第2のアップリンク制御信号が第2の送信時間間隔内に第2のビーム方向内で送信されることと、第1の送信時間間隔および第2の送信時間間隔が1つまたは複数のシンボルを含むこととをさらに含む。コンピュータ可読媒体は、第1の送信時間間隔および第2の送信時間間隔が同じ送信時間間隔であることをさらに含む。コンピュータ可読媒体は、第2の送信時間間隔が第1の送信時間間隔の後であることをさらに含む。コンピュータ可読媒体は、第1のワイヤレス通信デバイスに、アップリンク制御情報送信のための送信構成を受信させるためのコードをさらに含み、第1のアップリンク制御信号および第2のアップリンク制御信号は送信構成に基づいて送信される。コンピュータ可読媒体は、送信構成が第1の送信時間間隔および第2の送信時間間隔を示すことをさらに含む。コンピュータ可読媒体は、第1のアップリンク制御信号が第1の冗長バージョン(RV)に基づいて符号化された制御情報を搬送することと、第2のアップリンク制御信号が第1のRVとは異なる第2のRVに基づいて符号化された制御情報を搬送することとをさらに含む。コンピュータ可読媒体は、第1のビーム方向および第2のビーム方向がそれぞれ第2のワイヤレス通信デバイスの方に向けられることをさらに含む。コンピュータ可読媒体は、第1のビーム方向が第2のワイヤレス通信デバイスの方に向けられることと、第2のビーム方向が第3のワイヤレス通信デバイスの方に向けられることとをさらに含む。
【００８５】
本開示の実施形態は、プログラムコードを記録したコンピュータ可読媒体をさらに含み、プログラムコードは、通信デバイスに、第1のビーム方向から第1のアップリンク制御信号を受信させるためのコードと、通信デバイスに、第2のビーム方向から第2のアップリンク制御信号を受信させるためのコードとを含み、第1のアップリンク制御信号および第2のアップリンク制御信号は同じ制御情報を搬送し、第1のビーム方向と第2のビーム方向とは異なる。
【００８６】
コンピュータ可読媒体は、第1のアップリンク制御信号が第1の送信時間間隔内に第1のビーム方向から受信されることと、第2のアップリンク制御信号が第2の送信時間間隔内に第2のビーム方向から受信されることと、第1の送信時間間隔および第2の送信時間間隔が1つまたは複数のシンボルを含むこととをさらに含む。コンピュータ可読媒体は、第1の送信時間間隔および第2の送信時間間隔が同じ送信時間間隔であることをさらに含む。コンピュータ可読媒体は、第2の送信時間間隔が第1の送信時間間隔の後であることをさらに含む。コンピュータ可読媒体は、通信デバイスに、第1の時間間隔内に第1のアップリンク制御信号を、第2のアップリンク制御信号とは無関係に復号させるためのコードをさらに含む。コンピュータ可読媒体は、第1のアップリンク制御信号が第1の冗長バージョン(RV)に基づいて符号化された制御情報を搬送することと、第2のアップリンク制御信号が第1のRVとは異なる第2のRVに基づいて符号化された制御情報を搬送することとをさらに含む。コンピュータ可読媒体は、通信デバイスに、複数のビーム方向内でアップリンク制御情報送信のための送信構成を送信させるためのコードをさらに含み、第1のアップリンク制御信号および第2のアップリンク制御信号は送信構成に基づいて受信される。コンピュータ可読媒体は、通信デバイスが第1の送信ポイント(TXP)と通信していることと、通信デバイスが第1のTPとは異なる第2のTXPと通信していることと、第1のアップリンク制御信号が第1のTXPを介して受信されることと、第2のアップリンク制御信号が第2のTXPを介して受信されることとをさらに含む。コンピュータ可読媒体は、通信デバイスが送信ポイント(TXP)と通信していることと、第1のアップリンク制御信号および第2のアップリンク制御信号が同じTXPを介して受信されることとをさらに含む。
【００８７】
本開示の実施形態は、第1のビーム方向内で第1のアップリンク制御信号を送信するための手段と、第2のビーム方向内で第2のアップリンク制御信号を送信するための手段とを含む装置をさらに含み、第1のアップリンク制御信号および第2のアップリンク制御信号は同じ制御情報を搬送し、第1のビーム方向と第2のビーム方向とは異なる。
【００８８】
装置は、第1のアップリンク制御信号が第1の送信時間間隔内に第1のビーム方向内で送信されることと、第2のアップリンク制御信号が第2の送信時間間隔内に第2のビーム方向内で送信されることと、第1の送信時間間隔および第2の送信時間間隔が1つまたは複数のシンボルを含むこととをさらに含む。装置は、第1の送信時間間隔および第2の送信時間間隔が同じ送信時間間隔であることをさらに含む。装置は、第2の送信時間間隔が第1の送信時間間隔の後であることをさらに含む。装置は、アップリンク制御情報送信のための送信構成を受信するための手段をさらに含み、第1のアップリンク制御信号および第2のアップリンク制御信号は送信構成に基づいて送信される。装置は、送信構成が、第1の送信時間間隔および第2の送信時間間隔を示すことをさらに含む。装置は、第1のアップリンク制御信号が第1の冗長バージョン(RV)に基づいて符号化された制御情報を搬送することと、第2のアップリンク制御信号が第1のRVとは異なる第2のRVに基づいて符号化された制御情報を搬送することとをさらに含む。装置は、第1のビーム方向および第2のビーム方向がそれぞれワイヤレス通信デバイスの方に向けられることをさらに含む。装置は、第1のビーム方向が第1のワイヤレス通信デバイスの方に向けられることと、第2のビーム方向が第2のワイヤレス通信デバイスの方に向けられることとをさらに含む。
【００８９】
本開示の実施形態は、第1のビーム方向から第1のアップリンク制御信号を受信するための手段と、第2のビーム方向から第2のアップリンク制御信号を受信するための手段とを含む装置をさらに含み、第1のアップリンク制御信号および第2のアップリンク制御信号は同じ制御情報を搬送し、第1のビーム方向と第2のビーム方向とは異なる。
【００９０】
装置は、第1のアップリンク制御信号が第1の送信時間間隔内に第1のビーム方向から受信されることと、第2のアップリンク制御信号が第2の送信時間間隔内に第2のビーム方向から受信されることと、第1の送信時間間隔および第2の送信時間間隔が1つまたは複数のシンボルを含むこととをさらに含む。装置は、第1の送信時間間隔および第2の送信時間間隔が同じ送信時間間隔であることをさらに含む。装置は、第2の送信時間間隔が第1の送信時間間隔の後であることをさらに含む。装置は、第1の送信時間間隔内に第1のアップリンク制御信号を、第2のアップリンク制御信号とは無関係に復号するための手段をさらに含む。装置は、第1のアップリンク制御信号が第1の冗長バージョン(RV)に基づいて符号化された制御情報を搬送することと、第2のアップリンク制御信号が第1のRVとは異なる第2のRVに基づいて符号化された制御情報を搬送することとをさらに含む。装置は、複数のビーム方向内でアップリンク制御情報送信のための送信構成を送信するための手段をさらに含み、第1のアップリンク制御信号および第2のアップリンク制御信号は送信構成に基づいて受信される。装置はさらに、第1の送信ポイント(TXP)と、および第1のTPとは異なる第2のTXPと通信しており、第1のアップリンク制御信号は第1のTXPを介して受信され、第2のアップリンク制御信号は第2のTXPを介して受信される。装置はさらに送信ポイント(TXP)と通信しており、第1のアップリンク制御信号および第2のアップリンク制御信号は同じTXPを介して受信される。
【００９１】
当業者なら今や諒解するように、また当面の特定の適用例に応じて、本開示の主旨および範囲から逸脱することなく、本開示のデバイスの材料、装置、構成、および使用方法において、かつそれらに対して、多くの修正、置換、および変形を行うことができる。このことに照らして、本明細書で示し、説明した特定の実施形態は、それらのいくつかの例によるものにすぎないため、本開示の範囲はそのような特定の実施形態の範囲に限定されるべきではなく、むしろ、下記に添付される特許請求の範囲およびそれらの機能的な均等物の範囲と完全に同じであるべきである。
【符号の説明】
【００９２】
100  ワイヤレス通信ネットワーク
102  ユーザ機器(UE)
104  基地局(BS)
104a  BS
104b  BS
104c  BS
104d  BS
104e  BS
106  通信信号
108  通信信号
110a  カバレージエリア
110b  カバレージエリア
110c  カバレージエリア
110d  カバレージエリア
110e  カバレージエリア
200  ワイヤレス通信ネットワーク
202  UE
204  BS
204a  BS
204b  BS
210  ビーム方向
210a  ビーム方向
210b  ビーム方向
210c  ビーム方向
220  ビーム方向
220a  ビーム方向
220b  ビーム方向
220c  ビーム方向
300  ワイヤレス通信ネットワーク
400  UE
402  プロセッサ
404  メモリ
406  命令
408  PUCCH生成および処理モジュール
410  トランシーバ
412  モデムサブシステム
414  無線周波数(RF)ユニット
416  アンテナ
500  BS
502  プロセッサ
504  メモリ
506  命令
508  PUCCH構成および処理モジュール、PUCCH生成および処理モジュール
510  トランシーバ
512  モデムサブシステム
514  RFユニット
516  アンテナ
600  中央装置
602  プロセッサ
604  メモリ
606  命令
608  PUCCH構成および処理モジュール
610  トランシーバ
612  モデムサブシステム
614  光ユニット
700  無線フレーム
710  サブフレーム
720  スロット
730  ミニスロット
740  シンボル
800  送信方式
810  タイミング図
812  送信時間間隔(TTI)
812a  TTI
812b  TTI
820  タイミング図
822  PUCCH信号
824  PUCCH信号
832  第1のビーム方向
834  第2のビーム方向
900  送信方式
910  タイミング図
920  タイミング図
1000  方法
1100  方法
1200  方法
【図１】
2019537316.tif 000003
【図２】
2019537316.tif 000004
【図３】
2019537316.tif 000005
【図４】
2019537316.tif 000006
【図５】
2019537316.tif 000007
【図６】
2019537316.tif 000008
【図７】
2019537316.tif 000009
【図８】
2019537316.tif 000010
【図９】
2019537316.tif 000011
【図１０】
2019537316.tif 000012
【図１１】
2019537316.tif 000013
【図１２】
2019537316.tif 000014
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第2のワイヤレス通信デバイスによって第1のワイヤレス通信デバイスに割り振られた第1のビームリソースおよび第2の異なるビームリソースを示す送信構成を前記第2のワイヤレス通信デバイスから前記第1のワイヤレス通信デバイスによって受信するステップであって、前記第1のビームリソースが第1のビーム方向を含み、前記第2のビームリソースが第2の異なるビーム方向を含む、ステップと、
前記第1のビーム方向を使用して前記割り振られた第1のビームリソース上で第1のアップリンク制御信号を前記第2のワイヤレス通信デバイスに前記第1のワイヤレス通信デバイスによって送信するステップと、
前記第2のビーム方向を使用して前記割り振られた第2のビームリソース上で第2のアップリンク制御信号を、前記第1のアップリンク制御信号内で表される同じ符号化された制御情報とともに前記第2のワイヤレス通信デバイスに前記第1のワイヤレス通信デバイスによって送信するステップと
を含む、方法。
【請求項２】
前記割り振られた第1のビームリソースの第1の周波数リソースを前記第1のワイヤレス通信デバイスによって取得するステップと、
前記割り振られた第2のビームリソースの第2の異なる周波数リソースを前記第1のワイヤレス通信デバイスによって取得するステップと、
前記第1の周波数リソースをさらに使用して前記第1のアップリンク制御信号を送信するステップと、
前記第2の周波数リソースをさらに使用して前記第2のアップリンク制御信号を送信するステップと
をさらに含む、請求項1に記載の方法。
【請求項３】
前記割り振られた第1のビームリソースの時間リソースに基づいて第1の送信時間間隔を前記第1のワイヤレス通信デバイスによって構成するステップと、
第2の送信時間間隔を、前記割り振られた第2のビームリソースの時間リソースに基づいて前記第1の送信時間間隔と少なくとも部分的に重複するように前記第1のワイヤレス通信デバイスによって構成するステップであって、前記第1の送信時間間隔および前記第2の送信時間間隔がそれぞれ1つまたは複数のシンボルを含む、ステップと、
前記第1の送信時間間隔の間に前記第1のアップリンク制御信号を送信するステップと、
前記第2の送信時間間隔の間に前記第2のアップリンク制御信号を送信するステップと
をさらに含む、請求項1に記載の方法。
【請求項４】
前記割り振られた第1のビームリソースの時間リソースに基づいて第1の送信時間間隔を前記第1のワイヤレス通信デバイスによって構成するステップと、
前記割り振られた第2のビームリソースの時間リソースに基づいて前記第1の送信時間間隔と重複しない第2の送信時間間隔を前記第1のワイヤレス通信デバイスによって構成するステップであって、前記第1の送信時間間隔および前記第2の送信時間間隔がそれぞれ1つまたは複数のシンボルを含む、ステップと、
前記第1の送信時間間隔の間に前記第1のアップリンク制御信号を送信するステップと、
前記第2の送信時間間隔の間に前記第2のアップリンク制御信号を送信するステップと
をさらに含む、請求項1に記載の方法。
【請求項５】
第1の冗長バージョン(RV)に基づいて符号化された前記制御情報を搬送する前記第1のアップリンク制御信号を送信するステップと、
前記第1のRVとは異なる第2のRVに基づいて符号化された前記制御情報を搬送する前記第2のアップリンク制御信号を送信するステップと
をさらに含む、請求項1に記載の方法。
【請求項６】
前記第1のビームリソース上の前記第1のアップリンク制御信号を第2のワイヤレス通信デバイスの方に向けて送信するステップと、
前記第2のビームリソース上の前記第2のアップリンク制御信号を前記第2のワイヤレス通信デバイスの方に向けて送信するステップと
をさらに含む、請求項1に記載の方法。
【請求項７】
前記第1のビームリソース上の前記第1のアップリンク制御信号を第2のワイヤレス通信デバイスの方に向けて送信するステップと、
前記第2のビームリソース上の前記第2のアップリンク制御信号を前記第2のワイヤレス通信デバイスとは異なる第3のワイヤレス通信デバイスの方に向けて送信するステップと
をさらに含む、請求項1に記載の方法。
【請求項８】
ワイヤレス通信の方法であって、
第1のビームリソースおよび第2の異なるビームリソースを第2のワイヤレス通信デバイスに第1のワイヤレス通信デバイスによって割り振るステップであって、前記第1のビームリソースが第1のビーム方向を含み、前記第2のビームリソースが第2の異なるビーム方向を含む、ステップと、
前記割り振られた第1のビームリソースおよび前記割り振られた第2の異なるビームリソースを示す送信構成を前記第2のワイヤレス通信デバイスに前記第1のワイヤレス通信デバイスによって送信するステップと、
前記割り振られた第1のビームリソース上の第1のアップリンク制御信号を前記第2のワイヤレス通信デバイスから前記第1のワイヤレス通信デバイスによって受信するステップであって、前記第1のアップリンク制御信号が前記第1のビーム方向から受信される、ステップと、
前記割り振られた第2のビームリソース上の第2のアップリンク制御信号を、前記第1のアップリンク制御信号内で表される同じ符号化された制御情報とともに、前記第2のワイヤレス通信デバイスから前記第1のワイヤレス通信デバイスによって受信するステップであって、前記第2のアップリンク制御信号が前記第2のビーム方向から受信される、ステップと
を含む、方法。
【請求項９】
前記第1のビームリソースを第1の周波数リソースを含むように前記第1のワイヤレス通信デバイスによって構成するステップと、
前記第2のビームリソースを第2の異なる周波数リソースを含むように前記第1のワイヤレス通信デバイスによって構成するステップと、
前記第1の周波数リソースから前記第1のアップリンク制御信号を受信するステップと、
前記第2の周波数リソースから前記第2のアップリンク制御信号を受信するステップと
をさらに含む、請求項8に記載の方法。
【請求項１０】
前記第1のビームリソースを第1の送信時間間隔を含むように前記第1のワイヤレス通信デバイスによって構成するステップと、
前記第2のビームリソースを、前記第1の送信時間間隔と少なくとも部分的に重複するような第2の送信時間間隔を含むように前記第1のワイヤレス通信デバイスによって構成するステップであって、前記第1の送信時間間隔および前記第2の送信時間間隔がそれぞれ1つまたは複数のシンボルを含む、ステップと、
前記第1のアップリンク制御信号を前記第1の送信時間間隔内に受信するステップと、
前記第2のアップリンク制御信号を前記第2の送信時間間隔内に受信するステップと
をさらに含む、請求項8に記載の方法。
【請求項１１】
前記第1のビームリソースを第1の送信時間間隔を含むように前記第1のワイヤレス通信デバイスによって構成するステップと、
前記第2のビームリソースを、前記第1の送信時間間隔と重複しない第2の送信時間間隔を含むように前記第1のワイヤレス通信デバイスによって構成するステップであって、前記第1の送信時間間隔および前記第2の送信時間間隔がそれぞれ1つまたは複数のシンボルを含む、ステップと、
前記第1のアップリンク制御信号を前記第1の送信時間間隔内に受信するステップと、
前記第2のアップリンク制御信号を前記第2の送信時間間隔内に受信するステップと
をさらに含む、請求項8に記載の方法。
【請求項１２】
第1の冗長バージョン(RV)に基づいて符号化された前記制御情報を搬送する前記第1のアップリンク制御信号を受信するステップと、
前記第1のRVとは異なる第2のRVに基づいて符号化された前記制御情報を搬送する前記第2のアップリンク制御信号を受信するステップと、
前記第1のアップリンク制御信号を前記第2のアップリンク制御信号とは無関係に前記第1のワイヤレス通信デバイスによって復号するステップと
をさらに含む、請求項8に記載の方法。
【請求項１３】
複数のビーム方向内で前記送信構成を送信するステップをさらに含む、請求項8に記載の方法。
【請求項１４】
第1の送信ポイント(TXP)を介して前記第1のアップリンク制御信号を受信するステップと、
前記第1のTXPとは異なる第2のTXPを介して前記第2のアップリンク制御信号を受信するステップと
をさらに含む、請求項8に記載の方法。
【請求項１５】
送信ポイント(TXP)を介して前記第1のアップリンク制御信号を受信するステップと、
前記TXPを介して前記第2のアップリンク制御信号を受信するステップと
をさらに含む、請求項8に記載の方法。
【請求項１６】
1つまたは複数のアンテナと、
トランシーバと
を備え、前記トランシーバが、
第2のワイヤレス通信デバイスによって装置に割り振られた第1のビームリソースおよび第2の異なるビームリソースを示す送信構成を前記第2のワイヤレス通信デバイスから前記1つまたは複数のアンテナを介して受信することであって、前記第1のビームリソースが第1のビーム方向を含み、前記第2のビームリソースが第2の異なるビーム方向を含む、受信することと、
前記第1のビーム方向を使用して前記割り振られた第1のビームリソース上で第1のアップリンク制御信号を前記第2のワイヤレス通信デバイスに前記1つまたは複数のアンテナを介して送信することと、
前記第2のビーム方向を使用して前記割り振られた第2のビームリソース上で第2のアップリンク制御信号を、前記第1のアップリンク制御信号内で表される同じ符号化された制御情報とともに、前記第2のワイヤレス通信デバイスに前記1つまたは複数のアンテナを介して送信することと
を行うように構成される、装置。
【請求項１７】
前記第1のビームリソースが第1の周波数リソースを含み、前記第2のビームリソースが第2の異なる周波数リソースを含み、前記第1のアップリンク制御信号が前記第1の周波数リソースをさらに使用して送信され、前記第2のアップリンク制御信号が前記第2の周波数リソースをさらに使用して送信される、請求項16に記載の装置。
【請求項１８】
前記第1のビームリソースが第1の送信時間間隔を含み、前記第2のビームリソースが、前記第1の送信時間間隔と少なくとも部分的に重複する第2の送信時間間隔を含み、前記第1の送信時間間隔および前記第2の送信時間間隔がそれぞれ1つまたは複数のシンボルを含み、前記第1のアップリンク制御信号が前記第1の送信時間間隔の間に送信され、前記第2のアップリンク制御信号が前記第2の送信時間間隔の間に送信される、請求項16に記載の装置。
【請求項１９】
前記第1のビームリソースが第1の送信時間間隔を含み、前記第2のビームリソースが、前記第1の送信時間間隔と重複しない第2の送信時間間隔を含み、前記第1の送信時間間隔および前記第2の送信時間間隔がそれぞれ1つまたは複数のシンボルを含み、前記第1のアップリンク制御信号が前記第1の送信時間間隔の間に送信され、前記第2のアップリンク制御信号が前記第2の送信時間間隔の間に送信される、請求項16に記載の装置。
【請求項２０】
前記第1のアップリンク制御信号が第1の冗長バージョン(RV)に基づいて符号化された前記制御情報を搬送し、前記第2のアップリンク制御信号が前記第1のRVとは異なる第2のRVに基づいて符号化された前記制御情報を搬送する、請求項16に記載の装置。
【請求項２１】
前記1つまたは複数のアンテナを、前記第1のアップリンク制御信号および前記第2のアップリンク制御信号の前記送信を前記第2のワイヤレス通信デバイスの方に向けるように構成するように構成されたプロセッサをさらに備える、請求項16に記載の装置。
【請求項２２】
前記1つまたは複数のアンテナを、前記第1のアップリンク制御信号の前記送信を第1のワイヤレス通信デバイスの方に向けるように構成することと、
前記1つまたは複数のアンテナを、前記第2のアップリンク制御信号の前記送信を前記第2のワイヤレス通信デバイスの方に向けるように構成することと
を行うように構成されたプロセッサをさらに備える、請求項16に記載の装置。
【請求項２３】
1つまたは複数のアンテナと、
第1のビームリソースおよび第2の異なるビームリソースを第2のワイヤレス通信デバイスに割り振るように構成されたプロセッサであって、前記第1のビームリソースが第1のビーム方向を含み、前記第2のビームリソースが第2の異なるビーム方向を含む、プロセッサと、
トランシーバと
を備え、前記トランシーバが、
前記割り振られた第1のビームリソースおよび前記割り振られた第2の異なるビームリソースを示す送信構成を前記第2のワイヤレス通信デバイスに前記1つまたは複数のアンテナを介して送信することと、
前記割り振られた第1のビームリソース上の第1のアップリンク制御信号を前記第2のワイヤレス通信デバイスから前記1つまたは複数のアンテナを介して受信することであって、前記第1のアップリンク制御信号が前記第1のビーム方向から受信される、受信することと、
前記割り振られた第2のビームリソース上の第2のアップリンク制御信号を、前記第1のアップリンク制御信号内で表される同じ符号化された制御情報とともに、前記第2のワイヤレス通信デバイスから前記1つまたは複数のアンテナを介して受信することあって、前記第2のアップリンク制御信号が前記第2のビーム方向から受信される、受信することと
を行うように構成される、装置。
【請求項２４】
前記第1のビームリソースが第1の周波数リソースを含み、前記第2のビームリソースが第2の異なる周波数リソースを含み、
前記トランシーバが、
前記第1のアップリンク制御信号を前記第1の周波数リソースから受信することと、
前記第2のアップリンク制御信号を前記第2の周波数リソースから受信することと
を行うようにさらに構成される、請求項23に記載の装置。
【請求項２５】
前記第1のビームリソースが第1の送信時間間隔を含み、前記第2のビームリソースが前記第1の送信時間間隔と少なくとも部分的に重複する第2の送信時間間隔を含み、前記第1の送信時間間隔および前記第2の送信時間間隔がそれぞれ1つまたは複数のシンボルを含み、
前記トランシーバが、
前記第1のアップリンク制御信号を前記第1の送信時間間隔内に受信することと、
前記第2のアップリンク制御信号を前記第2の送信時間間隔内に受信することと
を行うようにさらに構成される、請求項23に記載の装置。
【請求項２６】
前記第1のビームリソースが第1の送信時間間隔を含み、前記第2のビームリソースが前記第1の送信時間間隔と重複しない第2の送信時間間隔を含み、前記第1の送信時間間隔および前記第2の送信時間間隔がそれぞれ1つまたは複数のシンボルを含み、
前記トランシーバが、
前記第1のアップリンク制御信号を前記第1の送信時間間隔内に受信することと、
前記第2のアップリンク制御信号を前記第2の送信時間間隔内に受信することと
を行うようにさらに構成される、請求項23に記載の装置。
【請求項２７】
前記第1のアップリンク制御信号が第1の冗長バージョン(RV)に基づいて符号化された前記制御情報を搬送し、前記第2のアップリンク制御信号が前記第1のRVとは異なる第2のRVに基づいて符号化された前記制御情報を搬送し、前記装置が前記第1のアップリンク制御信号を、前記第2のアップリンク制御信号に無関係に復号するように構成されたプロセッサをさらに備える、請求項23に記載の装置。
【請求項２８】
前記トランシーバが、複数のビーム方向内で前記送信構成を送信するようにさらに構成される、請求項23に記載の装置。
【請求項２９】
前記トランシーバが、
第1の送信ポイント(TXP)を介して前記第1のアップリンク制御信号を受信することと、
前記第1のTXPとは異なる第2のTXPを介して前記第2のアップリンク制御信号を受信することと
を行うようにさらに構成される、請求項23に記載の装置。
【請求項３０】
前記トランシーバが、
送信ポイント(TXP)を介して前記第1のアップリンク制御信号を受信することと、
同じTXPを介して第2のアップリンク制御信号を受信することと
を行うようにさらに構成される、請求項23に記載の装置。
【国際調査報告】
2019537316.tif 000015
2019537316.tif 000016